(57)【要約】  航空機のための電気自動ブレーキインターロックシステムは、ブレーキの不用意な（命令されていない）適用を防止する自動ブレーキ電力インターロックメカニズムを含む。自動ブレーキ電力インターロックは、自動ブレーキ作動データが正当な自動ブレーキ適用条件を示さない際はいつでも、ブレーキアクチュエータから動作電力を取除く。インターロック処理は、不用意な自動ブレーキコマンドが生成された場合でも、ブレーキアクチュエータが当該不用意な自動ブレーキコマンドに基づき動作することができないように自動ブレーキコマンド処理と並行して行なわれる。この点において、ブレーキアクチュエータは、以下の２つの動作が同時に起こらないならば、ブレーキを自動的に適用することができない。すなわち、動作電力が、電気ブレーキアクチュエータを有効にするよう与えられる場合と、正当な自動ブレーキ適用条件に応答して自動ブレーキ作動制御が命令される場合とである。
2010514608.tif 000002
【特許請求の範囲】
【請求項１】
航空機の電気ブレーキシステムのための自動ブレーキインターロックのための制御構成であって、
前記電気ブレーキシステムのブレーキメカニズムのための動作電力を有効／無効にするよう構成される自動ブレーキアクチュエータ電力制御アーキテクチャと、
前記自動ブレーキアクチュエータ電力制御アーキテクチャと並列である自動ブレーキアクチュエータコマンドアーキテクチャとを含み、前記自動ブレーキアクチュエータコマンドアーキテクチャは前記ブレーキメカニズムのためのブレーキメカニズムコマンドを処理するよう構成されており、
前記自動ブレーキアクチュエータ電力制御アーキテクチャは、前記自動ブレーキアクチュエータコマンドアーキテクチャから独立して、前記ブレーキメカニズムの作動を防止することが可能であり、
前記自動ブレーキアクチュエータコマンドアーキテクチャは、前記自動ブレーキアクチュエータ電力制御アーキテクチャから独立して、前記ブレーキメカニズムの作動を防止することが可能である、制御構成。
【請求項２】
前記自動ブレーキアクチュエータ電力制御アーキテクチャは、自動ブレーキ作動データを処理するとともに、前記自動ブレーキ作動データに応答して、前記ブレーキメカニズムの電力供給についての有効／無効制御信号を生成するよう構成されるインターロック決定モジュールを含む、請求項１に記載の制御構成。
【請求項３】
前記自動ブレーキ作動データは、
左側スロットルレゾルバ角度（ＴＲＡ）センサデータと、
右側ＴＲＡセンサデータとを含む、請求項２に記載の制御構成。
【請求項４】
前記インターロック決定モジュールは、前記自動ブレーキ作動データが自動ブレーキ適用条件を示す際、前記ブレーキメカニズムのための動作電力を有効にするよう構成される、請求項２に記載の制御構成。
【請求項５】
前記電気ブレーキシステムは前記ブレーキメカニズムに結合される電気ブレーキアクチュエータ制御部を含み、
前記自動ブレーキアクチュエータ電力制御アーキテクチャは、前記電気ブレーキアクチュエータ制御部のための動作電力を調節するよう構成される、請求項１に記載の制御構成。
【請求項６】
前記自動ブレーキアクチュエータコマンドアーキテクチャは、自動ブレーキ作動データに応答して前記ブレーキメカニズムコマンドを生成するよう構成される自動ブレーキコマンド制御部を含む、請求項１に記載の制御構成。
【請求項７】
前記自動ブレーキ作動データは、
左側スロットルレゾルバ角度（ＴＲＡ）センサデータと、
右側ＴＲＡセンサデータとを含む、請求項６に記載の制御アーキテクチャ。
【請求項８】
前記電気ブレーキシステムは、前記ブレーキメカニズムに結合される電気ブレーキアクチュエータ制御部を含み、
前記自動ブレーキコマンド制御部は、前記電気ブレーキアクチュエータ制御部による実行のために前記ブレーキメカニズムコマンドを生成するよう構成される、請求項６に記載の制御アーキテクチャ。
【請求項９】
航空機の電気ブレーキシステムのための自動ブレーキインターロックを提供するための方法であって、前記電気ブレーキシステムはブレーキメカニズムを有し、前記方法は、
（ａ）  自動ブレーキ作動データを受取ることと、
（ｂ）  前記自動ブレーキ作動データを処理することとを含み、前記自動ブレーキ作動データは離散ＴＲＡデータを含み、前記方法はさらに、
（ｃ）  前記離散ＴＲＡデータが自動ブレーキ適用条件を示さない場合、前記ブレーキメカニズムのための動作電力を調節し、前記ブレーキメカニズムを一時的に無効にすることを含み、前記方法はさらに、
（ｂ）および（ｃ）と同時にかつ独立して、
（ｅ）  前記自動ブレーキ作動データを処理することを含み、前記自動ブレーキ作動データはＴＲＡデジタルデータを含み、前記方法はさらに、
（ｆ）  前記ＴＲＡデジタルデータが前記自動ブレーキ適用条件を示さない場合、自動ブレーキ作動制御コマンドの生成を防止することと、
（ｇ）  前記ブレーキメカニズムの作動を防止することとを含む、方法。
【請求項１０】
前記電気ブレーキシステムは、前記ブレーキメカニズムに結合される電気ブレーキアクチュエータを含み、
前記ブレーキメカニズムのための動作電力を調節することは、前記電気ブレーキアクチュエータから動作電力を取除くことを含む、請求項９に記載の方法。
【請求項１１】
（ｈ）  前記動作電力が前記電気ブレーキアクチュエータを有効にするよう与えられ、
（ｉ）  前記ブレーキ作動制御コマンドが生成され、かつ
（ｊ）  前記ブレーキ作動制御コマンドが前記電気ブレーキアクチュエータによって受取られるならば、
前記自動ブレーキ作動条件を検出することに応答して前記電気ブレーキアクチュエータを制御することをさらに含む、請求項１０に記載の方法。
【請求項１２】
前記離散ＴＲＡデータは、前記動作電力を調節するための有効／無効制御信号を生成する、請求項１０に記載の方法。
【請求項１３】
航空機のための電気自動ブレーキインターロックシステムであって、
前記航空機の第１の車輪のための第１のブレーキメカニズムと、
前記第１のブレーキメカニズムに結合される第１の自動ブレーキ制御アーキテクチャとを含み、前記第１の自動ブレーキ制御アーキテクチャは、
自動ブレーキ作動データに応答して、前記第１のブレーキメカニズムのためのブレーキメカニズムコマンド信号を生成するよう構成される第１の自動ブレーキコマンド制御部と、
前記第１の自動ブレーキコマンド制御部の動作と同時にかつ前記第１の自動ブレーキコマンド制御部から独立して、前記自動ブレーキ作動データに応答して前記第１のブレーキメカニズムのための動作電力を調節するよう構成される第１の自動ブレーキインターロックメカニズムを含む、電気自動ブレーキインターロックシステム。
【請求項１４】
前記航空機の第２の車輪のための第２のブレーキメカニズムと、
前記第２のブレーキメカニズムに結合される第２の自動ブレーキ制御アーキテクチャとを含み、前記第２の自動ブレーキ制御アーキテクチャは、
前記自動ブレーキ作動データに応答して、前記第２のブレーキメカニズムのためのブレーキメカニズムコマンド信号を生成するよう構成される第２の自動ブレーキコマンド制御部と、
前記第２の自動ブレーキコマンド制御部の動作と同時に、かつ、前記第２の自動ブレーキコマンド制御部から独立して、前記自動ブレーキ作動データに応答して前記第２のブレ
ーキメカニズムのための動作電力を調節するよう構成される第２の自動ブレーキインターロックメカニズムとを含む、請求項１３に記載のシステム。
【請求項１５】
前記第２の自動ブレーキ制御アーキテクチャは、前記第１の自動ブレーキ制御アーキテクチャと同時にかつ独立して動作する、請求項１４に記載のシステム。
【請求項１６】
前記第１の自動ブレーキインターロックメカニズムは、前記第１のブレーキメカニズムのための動作電力を有効／無効にするよう構成される自動ブレーキアクチュエータ電力制御アーキテクチャに存在し、
前記第１の自動ブレーキコマンド制御部は、前記自動ブレーキアクチュエータ電力制御アーキテクチャと並列である自動ブレーキアクチュエータコマンドアーキテクチャに存在し、前記自動ブレーキアクチュエータコマンドアーキテクチャは、前記第１のブレーキメカニズムのための前記ブレーキメカニズム制御信号を処理するよう構成される、請求項１３に記載のシステム。
【請求項１７】
前記自動ブレーキアクチュエータ電力制御アーキテクチャは、前記自動ブレーキアクチュエータコマンドアーキテクチャから独立して、前記第１のブレーキメカニズムの作動を防止することが可能であり、
前記自動ブレーキアクチュエータコマンドアーキテクチャは、前記自動ブレーキアクチュエータ電力制御アーキテクチャから独立して、前記第１のブレーキメカニズムの作動を防止することが可能である、請求項１６に記載のシステム。
【請求項１８】
前記自動ブレーキアクチュエータ電力制御アーキテクチャは、
前記自動ブレーキ作動データを処理するよう構成されており、かつ
前記自動ブレーキ作動データに応答して、前記第１のブレーキメカニズムの電力供給のための有効／無効制御信号を生成するよう構成される自動ブレーキインターロック決定モジュールを含む、請求項１６に記載のシステム。
【請求項１９】
前記インターロック決定モジュールは、前記自動ブレーキ作動データが自動ブレーキ適用条件を示す際に、前記第１のブレーキメカニズムのための動作電力を有効にするよう構成される、請求項１８に記載のシステム。
【請求項２０】
前記インターロック決定モジュールは、前記自動ブレーキ作動データが自動ブレーキ適用条件を示さない際に、前記第１のブレーキメカニズムのための動作電力を無効にするよう構成される、請求項１８に記載のシステム。
【発明の詳細な説明】
【技術分野】
【０００１】
この発明の実施例は一般的に航空機のための電気ブレーキシステムに関する。より詳細には、この発明の実施例は航空機の電気ブレーキシステムのための自動ブレーキインターロックシステムに関する。
【背景技術】
【０００２】
背景
多くの航空機は、直結ケーブルまたは油圧制御アーキテクチャにより制御されるブレーキメカニズムを有するブレーキシステムを用いる。現代の航空機では、従来のケーブル作動および油圧作動の航空機ブレーキシステムが、電気作動および電気制御されるブレーキシステムに取って代わられ始めている。航空機のブレーキシステムは、不用意なブレーキ（すなわち、パイロットまたは自動化された航空機システムからの正当なブレーキコマンドがない状態でのブレーキの適用）を防止する安全機能を有するよう設計されるべきである。さらに、航空機のブレーキシステムは、信頼性のあるブレーキの制御および堅牢性を提供するよう、十分な処理の冗長性を含むべきである。
【発明の概要】
【発明が解決しようとする課題】
【０００３】
簡潔な概要
【課題を解決するための手段】
【０００４】
航空機とともに用いるのに好適な電気自動ブレーキインターロックシステムは、車輪にブレーキをかけることを管理する電気ブレーキアクチュエータに動作電力が与えられるかどうかを制御する自動ブレーキインターロック構成を含む。自動ブレーキインターロック構成は、ブレーキメカニズム制御信号を生成するソフトウェアベースのコマンドアーキテクチャと並列のブレーキメカニズムのための動作電力を調整するハードウェアベースの電力制御アーキテクチャを含む。１つの実施例では、複数のこのようなインターロック構成が独立した態様で複数の車輪ブレーキ（または複数の車輪ブレーキのグループ）のために用いられ、これにより信頼性および堅牢性を提供する。この電気自動ブレーキインターロックシステムは、スロットルレゾルバ角度（ＴＲＡ）データを用いて、自動ブレーキの適用を有効／無効にするよう自動ブレーキインターロックを駆動する。ＴＲＡデータは、航空機のエンジンによって用いられ、航空機のデジタル通信システム上にて入手可能である。実際では、自動ブレーキの設計は、すでに飛行機上に存在しているネットワークアーキテクチャを用いてもよい（自動ブレーキ使用のために専用に加えられるデータ転送設計要素が加えられなくてもよい）。
【０００５】
この発明の上記および他の局面は、１つの実施例において、航空機の電気自動ブレーキインターロックシステムのための制御構成によって実施されてもよい。制御構成は、自動ブレーキ入力信号を処理するとともに電気ブレーキシステムのブレーキ作動のための動作電力を有効／無効にするよう構成されるアクチュエータ電力制御アーキテクチャを含む。制御構成はさらに、アクチュエータ電力制御アーキテクチャと並列の自動ブレーキコマンドアーキテクチャを含む。自動ブレーキコマンドアーキテクチャは、自動ブレーキ入力信号を処理するとともに、電気ブレーキシステムのための自動ブレーキ作動データに応答してブレーキ作動制御コマンドを生成するよう構成される。アクチュエータ電力制御アーキテクチャは、自動ブレーキコマンドアーキテクチャから独立して、ブレーキの作動を防止することが可能である。逆に、自動ブレーキコマンドアーキテクチャは、アクチュエータ電力制御アーキテクチャから独立して、ブレーキの作動を防止することが可能である。
【０００６】
この発明の上記および他の局面は、別の実施例において、航空機の電気ブレーキシステムのための自動ブレーキインターロックを提供するための方法によって実施されてもよい。この方法は、自動ブレーキ作動データを受取ることと、当該自動ブレーキ作動データを処理することと、自動ブレーキ作動データが自動ブレーキ適用条件を示さない場合、ブレーキメカニズムのための動作電力を調節して一時的にブレーキメカニズムを無効にすることとを伴う。この電力制御スキームと同時および独立して、この方法は、自動ブレーキ作動データを処理し、自動ブレーキ作動データが自動ブレーキ適用条件を示していない場合、当該方法はブレーキの作動メカニズムを妨げる。この方法は、以下の２つの動作が同時に起きた場合、ブレーキメカニズム、特に電気ブレーキアクチュエータのための作動制御を与える。すなわち、動作電力が電気ブレーキアクチュエータを有効にするよう与えられることと、正当な自動ブレーキ適用条件に応答して、ブレーキ作動制御が命令されることとである。
【０００７】
この発明の上記および他の局面は、別の実施例において、航空機のための電気自動ブレーキインターロックシステムによって実施されてもよい。電気自動ブレーキインターロックシステムは、航空機の車輪のためのブレーキメカニズムと、ブレーキメカニズムに結合される自動ブレーキ制御アーキテクチャとを含む。自動ブレーキ制御アーキテクチャは、自動ブレーキ作動データに応答して、ブレーキメカニズム、特に電気ブレーキアクチュエータのためのブレーキメカニズムコマンド信号を生成するよう構成される自動ブレーキコマンド制御部と、自動ブレーキ作動データに応答して、ブレーキメカニズム、特に電気ブレーキアクチュエータのための動作電力を調節するよう構成されるインターロックメカニズムとを含む。インターロックメカニズムは、自動ブレーキコマンド制御部の動作と同時に、かつ自動ブレーキコマンド制御部から独立して動作する。
【０００８】
この概要は、詳細な説明において以下にさらに記載される簡略された形態で概念の選択したものを紹介するよう与えられる。この概要は、特許請求された主題の主となる特徴または必須の特徴を特定することを意図するものではなく、特許請求された主題の範囲を決定する助けとなるものとして用いられることも意図しない。
【図面の簡単な説明】
【０００９】
この発明のさらに完全な理解は、添付の図面に関連して考慮し、詳細な説明および特許請求の範囲を参照することにより導き出され得る。図面を通じて、同様の参照番号は同様の要素を指す。
【図１】航空機電気ブレーキシステムの概略図である。
【図２】航空機電気ブレーキシステムの独立した処理チャネルを示す図である。
【図３】航空機電気ブレーキシステムの部分の概略図である。
【図４】航空機電気ブレーキシステムの部分のための電気自動ブレーキインターロックシステムの概略図である。
【図５】航空機電気自動ブレーキインターロックシステムのための自動ブレーキインターロック処理を示すフローチャートの図である。
【発明を実施するための形態】
【００１０】
詳細な説明
以下の詳細な説明は、単に説明的な性質のものであり、この発明の実施例またはこのような実施例の適用および利用を制限することを意図するものではない。さらに、前述の技術分野、背景、簡潔な概要、または以下の詳細な説明において提示される如何なる明確なまたは示唆される理論によって束縛されることを意図しない。
【００１１】
ここで、この発明の実施例は、機能および／または論理ブロックコンポーネントならび
にさまざまな処理ステップの点において記載され得る。このようなブロックコンポーネントは、特定された機能を実行するよう構成される任意の数のハードウェア、ソフトウェア、および／またはファームウェアコンポーネントによって実現されてもよい。たとえば、この発明の実施例は、１つ以上のマイクロプロセッサまたは他の制御装置の制御の下でさまざまな機能を実行し得るさまざまな集積回路コンポーネント、たとえばメモリ要素、デジタル信号処理要素、論理要素、またはルックアップテーブルなどを用いてもよい。さらに、当業者ならば、この発明の実施例が、さまざまな異なる航空機ブレーキシステムおよび航空機の構成に関連して実施され得るということと、ここに記載されるシステムが単にこの発明の例示的な一実施例であるということとを理解するであろう。
【００１２】
簡潔さのため、信号処理、航空機のブレーキシステム、ブレーキシステム制御、およびシステムの他の機能的な局面（ならびにシステムの個々の動作コンポーネント）に関連付けられる従来の技術およびコンポーネントはここでは詳細に説明されない場合がある。さらに、ここに含まれるさまざまな図面において示される接続線は、さまざまな要素の間の例示的な機能的関係および／または物理的結合を示すよう意図される。なお多くの代替的もしくは付加的な機能的関係または物理的接続がこの発明の実施例において存在してもよい。
【００１３】
以下の説明では、ともに「接続」または「結合」されている要素、ノード、または機構を参照する。ここで用いられるように、明らかに別のように述べていなければ、「接続される」は、１つの要素／ノード／機構が別の要素／ノード／機構に、必ずしも機械的ではなく直接的に接合（または直接的に連通）されることを意味する。同様に、明らかに別のように述べられてなければ、「結合される」は、１つの要素／ノード／機構が、別の要素／ノード／機構に、必ずしも機械的ではなく直接的もしくは間接的に接合（または直接的もしくは間接的に連通）されるということを意味する。したがって、図１−図３は要素の例示的な構成を示すが、付加的な仲介要素、装置、機構、またはコンポーネントがこの発明の実施例に存在してもよい。
【００１４】
ここで記載される航空機は、メインの航空機バッテリのような任意の好適な電源または航空機のエンジンが動作している間に動作可能であるアクティブな航空機電源によって電力が与えられ得る電気ブレーキシステムを用いる。先進的な飛行機では自動ブレーキが用いられる。自動ブレーキは、離陸または着陸の間、航空機のブレーキシステムが自動化されたシステムによって取扱わられ得るときに他のタスクを行なうことからパイロットを自由にするタイプの自動ブレーキシステムである。着陸の際、自動ブレーキにより、パイロットは、ブレーキが自動的に取扱われる間、他のシステムを監視および飛行機を制御することが可能になる。滑走路への接地の際に、航空機は自動的に車輪のブレーキを係合させる。ペダルブレーキを用いる代わりに自動ブレーキを係合させることには、閉ループブレーキ制御アルゴリズムによって均一な減速が可能になるという付加的な利点がある。ブレーキのかかる度合いは選択され得、ブレーキの適用は、航空機の抗力、逆推力装置、またはスポイラーといった他の減速要因にかかわらず、選択されたレベルで航空機が減速するように自動的に調節される。離陸の際、航空機の自動ブレーキは離陸中断（rejected takeoff；ＲＴＯ）モードに設定され得る。ＲＴＯ設定にある際には、航空機はあるステータスインジケータを監視し、これらのインジケータに依存してＲＴＯブレーキを係合させる。これは、たとえば、逆推力が活性化される場合またはパイロットが両方のスロットルを「アイドル」位置に戻す場合である。電気自動ブレーキシステムは、さまざまなブレーキメカニズム制御信号を生成する自動ブレーキコマンド機構から独立したインターロック機構を含む。インターロック機構は、電気ブレーキアクチュエータから作動電力を取除くことにより航空機の自動ブレーキの不用意な適用を防止するよう好適に構成される。したがって、アクチュエータは、不用意にブレーキを適用するよう命令された場合でも、作動電力の欠如により、この不用意な自動ブレーキコマンドに対して応答することができなくな
る。同様に、作動電力がアクチュエータに供給された場合でも、自動ブレーキコマンドの欠如により、不用意にブレーキを適用することができなくなる。
【００１５】
図１は、航空機のための電気ブレーキシステム１００の例示的な実施例の概略図である。図１に示される例示的な実施例において、航空機は、同様に構成される左側電気ブレーキサブシステムアーキテクチャ１０２と右側電気ブレーキサブシステムアーキテクチャ１０４とを用いる。「左側」および「右側」という用語はそれぞれ、航空機の左舷および右舷を指す。実際の場合、これら２つのサブシステムアーキテクチャ１０２／１０４は、以下に記載される態様で独立して制御されてもよい。単純さのため、以下では左側電気ブレーキサブシステムアーキテクチャ１０２のみが詳細に記載される。以下の説明は右側電気ブレーキサブシステムアーキテクチャ１０４にも適用されるということが理解されるべきである。
【００１６】
この例示的な実施の場合、一般的に左側電気ブレーキサブシステムアーキテクチャ１０２は、スロットルレバー１０６と、ブレーキシステム制御ユニット（brake system control unit；ＢＳＣＵ）１１０と、ＢＳＣＵ１１０に結合される機外の電気ブレーキアクチュエータ制御部（electric brake actuator control；ＥＢＡＣ）１１２と、ＢＳＣＵ１１０に結合される機内のＥＢＡＣ１１４と、前輪１１６および後輪１１８を含む機外の車輪グループと、前輪１２０および後輪１２２を含む機内の車輪グループと、ＥＢＡＣに結合される電気ブレーキメカニズム（図１に示さず）と、遠隔データ集信機（参照番号１３２、１３４、１３６、および１３８）とを含む。各電気ブレーキメカニズムは、それぞれのＥＢＡＣによって制御される少なくとも１つの電気ブレーキアクチュエータ（参照番号１２４、１２６、１２８、および１３０）を含む。電気ブレーキメカニズムおよび遠隔データ集信機は、左側電気ブレーキサブシステムアーキテクチャ１０２の各々の車輪に対応する。図１に示されてはいないが、実施例は、車輪ごとに１つより多い電気ブレーキメカニズムおよび１つより多い遠隔データ集信機を有してもよい。
【００１７】
電気ブレーキシステム１００は、航空機のための任意の数の電気ブレーキ構成に適用され得、電気ブレーキシステム１００は説明の容易さのために単純化された態様で示される。実施される電気ブレーキシステム１００の実施例は、任意の数のＢＳＣＵと、各ＢＳＣＵに結合および制御される任意の数のＥＢＡＣと、各車輪について（または車輪の各々のグループについて）任意の数のブレーキメカニズムとを含んでもよい。動作時には、電気ブレーキシステム１００は、航空機の各車輪についてまたは任意のグループの車輪について同時にブレーキアクチュエータ制御信号を独立して生成および適用し得る。
【００１８】
左側電気ブレーキサブシステムアーキテクチャ１０２における要素は、データ通信バスまたは任意の好適な相互接続構成もしくはアーキテクチャを用いて、ともに結合され得る。たとえば、デジタルデータ通信バスは、ＥＢＡＣ制御信号をＢＳＣＵ１１０からＥＢＡＣへと通信し、アクチュエータ制御信号をＥＢＡＣから電気ブレーキアクチュエータ１２４／１２６／１２８／１３０などへと通信するよう構成されてもよい。簡潔にいえば、ＢＳＣＵ１１０はスロットルレバー１０６／１４２の操作に反応し、ＥＢＡＣ１１２／１１４が受取る制御信号を生成する。立ち代わって、ＥＢＡＣ１１２／１１４は、電気ブレーキメカニズム、特に、アクチュエータ１２４／１２６／１２８／１３０が受取るブレーキメカニズム制御信号を生成する。立ち代わって、電気ブレーキアクチュエータ１２４／１２６／１２８／１３０はそれぞれの車輪の回転を邪魔するまたは防止するよう作動する。これらの機構およびコンポーネントは、より詳細に以下に記載される。
【００１９】
スロットルレバー１０６および１４２は、電気ブレーキシステム１００に入力を与えるよう構成される。パイロットはスロットルレバー１０６および１４２を物理的に操作し、これによりスロットルレバー１０６および１４２の回転または運動（すなわち何らかの形
態の物理的入力）がなされる。たとえば、電気ブレーキシステム１００（特にＢＳＣＵ１１０）は、図４の文脈において以下に詳細に説明されるように、スラストレバーがアイドルでない場合に自動ブレーキの適用を防止するよう構成されてもよい。この物理的回転またはスロットルレゾルバ角度（throttle resolver angle；ＴＲＡ）は、１つ以上のスラストレバーセンサによってその本来の位置から計測され、ＢＳＣＵ制御信号へと変換され、ＢＳＣＵ１１０に送られる。ＢＳＣＵは、ブレーキアクチュエータ１２４／１２６／１２８／１３０について所望の自動ブレーキ条件を伝えてもよく、または図４の文脈において以下に詳細に説明されるようにブレーキアクチュエータ１２４／１２６／１２８／１３０を無効にしてもよい。
【００２０】
電気ブレーキシステム１００の実施例は、任意の数のＢＳＣＵ１１０を用いてもよい。説明の容易さのため、この例では、ＢＳＣＵ１１０は１つのみ含まれる。ＢＳＣＵ１１０は、ブレーキコマンドを示すＥＢＡＣ制御信号をデジタルで算出する埋込ソフトウェアを有する電子制御ユニットである。この電気的およびソフトウェアの実現例により、所与の航空機の実施に必要とされる場合、ブレーキの能力および感覚のさらに他の最適化およびカスタマイズが可能になる。
【００２１】
ＢＳＣＵ１１０は、ここに記載される機能を実行するよう設計される、汎用プロセッサ、コンテントアドレス可能なメモリ、デジタル信号プロセッサ、特定用途集積回路、フィールドプログラム可能なゲートアレイ、任意の好適なプログラム可能な論理装置、離散ゲートもしくはトランジスタ論理、離散ハードウェアコンポーネント、またはそれらの任意の組合せにより実施または実行されてもよい。プロセッサは、マイクロプロセッサ、コントローラ、マイクロコントローラ、または状態機械として実現されてもよい。プロセッサはさらに、計算装置の組合せ、たとえばデジタル信号プロセッサおよびマイクロプロセッサの組合せ、複数のマイクロプロセッサ、デジタル信号プロセッサコアに連動する１つ以上のマイクロプロセッサ、または任意の他のこのような構成として実現されてもよい。一実施例では、ＢＳＣＵ１１０は、ソフトウェアをホスティングするとともに、当該ソフトウェアのための外部インターフェイスを提供するコンピュータプロセッサ（たとえばパワーＰＣ（PowerPC）５５５）で実現される。
【００２２】
ＢＳＣＵ１１０は、さまざまな航空機入力を監視し、ペダルブレーキ、パーキングブレーキ、自動化されたブレーキ、およびギヤ引込みブレーキといった制御機能を与えるが、これらに限定されない。さらに、ＢＳＣＵ１１０は（ＢＡＣＵ１１０に対して内部または外部で生成され得る）滑り止めコマンドを組み合わせ、これによりブレーキ性能が増強される。ＢＳＣＵ１１０は、両方のスロットルレバー１０６／４２からの入力といったような付加的なコマンド制御信号とともに、ブレーキペダル（図１には示さず）からパイロットコマンド制御信号を得る。ＢＳＣＵ１１０はさらに、遠隔データ集信機１３２／１３４／１３６／１３８から付加的な制御データ（たとえば車輪スピード、回転方向、タイヤ空気圧など）を受取ってもよい。ＢＳＣＵ１１０はその入力信号を処理し、ＥＢＡＣ１１２／１１４が受取る１つ以上のＥＢＡＣ制御信号を生成する。実際では、ＢＳＣＵ１１０はデジタルデータバスを介してＥＢＡＣ１１２／１１４にＥＢＡＣ制御信号を送信する。一般化されたアーキテクチャ（図示せず）において、各ＢＳＣＵは、その制御の下で、任意の数のＥＢＡＣとともに用いられる独立した出力信号を生成し得る。
【００２３】
この例では、ＢＳＣＵ１１０はＥＢＡＣ１１２／１１４に結合される。各々のＥＢＡＣ１１２／１１４は、ＢＳＣＵ１１０について上述した態様で実施、実行、または実現されてもよい。一実施例では、各々のＥＢＡＣ１１２／１１４は、ソフトウェアをホスティングし、当該ソフトウェアのための外部インターフェイスを提供し、かつここに記載されるさまざまなＥＢＡＣ動作を実行するよう構成される好適な処理論理を含むコンピュータプロセッサ（たとえばパワーＰＣ５５５）で実現される。各ＥＢＡＣ１１２／１１４は、Ｂ
ＳＣＵ１１０からＥＢＡＣ制御信号を取得し、ＥＢＡＣ制御信号を処理し、その関連する電気ブレーキメカニズムについてブレーキメカニズム制御信号（ブレーキアクチュエータ信号）を生成する。
【００２４】
なお、ＢＳＣＵ１１０およびＥＢＡＣ１１２／１１４の機能は、単一のプロセッサベースの機構またはコンポーネントへと組合されてもよい。この点において、ＢＳＣＵ１１０、ＥＢＡＣ１１２、ＥＢＡＣ１１４、またはそれらの任意の組合せは、電気ブレーキシステム１００のためのブレーキ制御アーキテクチャであると考えられ得る。このようなブレーキ制御アーキテクチャは、ここで記載される自動ブレーキ制御動作をサポートする好適に構成された処理論理、機能、および機構を含む。
【００２５】
各車輪は関連する電気ブレーキメカニズムを含み得、各ブレーキメカニズムは１つ以上の電気ブレーキアクチュエータを含み得る。結果として、各々の車輪に対してブレーキをかけることは、電気ブレーキシステム１００により独立してかつ個々に制御され得る。各電気ブレーキアクチュエータは、そのそれぞれのＥＢＡＣからアクチュエータ制御信号を受取るよう好適に構成され、アクチュエータ制御信号は電気ブレーキアクチュエータの調節に影響を与える。この実施例では、電気ブレーキシステム１００における各々の電気ブレーキアクチュエータはＥＢＡＣに結合されるとともにＥＢＡＣによって制御される。この態様でＥＢＡＣ１１２／１１４は電気ブレーキアクチュエータを制御し、車輪ブレーキの適用を実行、解除、調節、およびそうでなければ制御する。この点で、ＥＢＡＣ１１２／１１４は、ＢＳＣＵ１１０が生成するそれぞれのＥＢＡＣ制御信号に応答してブレーキ制御信号を生成する。このブレーキ制御信号は、航空機によって用いられる特定のブレーキシステムとの互換性のために好適にフォーマットおよび構成される。当業者ならば、航空機ブレーキメカニズムおよびブレーキが制御される一般的な態様に詳しく、このような公知の局面はここでは詳細には記載されない。
【００２６】
左側電気ブレーキサブシステムアーキテクチャ１０２は、好適に構成された電気制御サブシステム１４０を含むかまたはそれと協働してもよい。電力制御サブシステム１４０は、ＢＳＣＵ１１０、ＥＢＡＣ１１２／１１４（および／または電気ブレーキシステム１００の他のコンポーネント）に結合されてもよい。この実施例では、電力制御サブシステム１４０は、必要に応じて、電気ブレーキメカニズムおよび／または電気ブレーキアクチュエータのための動作電力を提供、適用、除去、切換、またはそうでなければ調節するよう好適に構成される。たとえば、電力制御サブシステム１４０は、ＥＢＡＣ１１２／１１４および／または左側電気ブレーキサブシステムアーキテクチャ１０２の他のコンポーネントから必要に応じて電力を取除くことができ、これにより電気ブレーキシステム１００のためのインターロック機構が与えられる。以下にさらに詳細に記載されるように、電力制御サブシステム１４０は、左側機外および左側機内電気ブレーキコンポーネントのための動作電力を調製するよう独立した態様で機能する左側機外電力供給ユニットおよび左側機内電力供給ユニットにより実現されてもよい。
【００２７】
右側電気ブレーキサブシステムアーキテクチャ１０４は、左側電気ブレーキサブシステムアーキテクチャ１０２と同様の構造を有する（共通の特徴、機能、および要素はここでは冗長となるので記載しない）。この例示的な実施の場合、図１に示されるように、右側電気ブレーキサブシステムアーキテクチャ１０４は、スロットルレバー１０６とは別個でかつ区別される右側スロットルレバー１４２と、ＢＳＣＵ１４６と、機内ＥＢＡＣ１４８と、機外ＥＢＡＣ１５０と、電力制御サブシステム１４０とは別個であるとともに区別される電力制御サブシステム１５２とを含む。電気ブレーキシステム１００の当該２つの側は、スロットルレバー１０６／１４２の両方から自動ブレーキブレーキ作動データを受取る。代替的には、電気ブレーキシステム１００の２つの側は、他の別個かつ区別されるブレーキ作動メカニズム（図１に示さず）を用いてもよい。右側電気ブレーキサブシステム
アーキテクチャ１０４のこれらのさまざまなコンポーネントはともに結合され、これにより左側電気ブレーキサブシステムアーキテクチャ１０２について上述したように動作するが、右側での処理は左側での処理と独立しているのが好ましい。
【００２８】
航空機のための電気ブレーキシステムの一実施例に従うと、自動ブレーキインターロックメカニズムまたは機構が、車輪のブレーキの不用意な適用を防止するよう与えられる。当該電気ブレーキシステムにおけるシステムまたは制御メカニズムは、このような自動ブレーキインターロック機構を実現するよう設計され得る。たとえば、電気ブレーキシステム１００は、電気自動ブレーキインターロックシステムをサポートするよう構成されてもよい。
【００２９】
図２は、この発明の実施例に従って構成される航空機電気自動ブレーキインターロックシステムの独立した処理チャネルを示す図である。特に、図２は、左側機外電力制御チャネル２１６、左側機外自動ブレーキコマンド制御チャネル２１４、左側機内電力制御チャネル２２０、左側機内自動ブレーキコマンド制御チャネル２１８、右側機内電力制御チャネル２２８、右側機内自動ブレーキコマンド制御チャネル２２６、右側機外電力制御チャネル２２４、および右側機外自動ブレーキコマンド制御チャネル２２２を示す。これらの処理チャネルは、電気ブレーキシステム１００のコンポーネント、たとえば、ＢＳＣＵ、ＥＢＡＣ、電力制御サブシステムなど、において実現されてもよい。実際には、各々の処理チャネルは、ハードウェアコンポーネント、デジタル論理要素、処理論理、回路コンポーネント、または任意の好適に構成されるアーキテクチャ、構成、もしくは機構を含んでもよいがこれらに限定されない。さらに、各処理チャネルはここに記載されるそれぞれの動作を行なうよう好適に構成される。
【００３０】
この例について、左側処理チャネルは電気ブレーキシステムの左側の処理に対応し、右側処理チャネルは電気ブレーキシステムの右側の処理に対応する。この点において、左側および右側処理電力チャネルは各々、左側および右側ＴＲＡセンサ離散（ハイまたはローという２つの取り得る状態を有するバイナリ信号）データモジュール２０２／２０６によって入力を受け得る。これらのＴＲＡセンサ離散データモジュール２０２／２０６は、自動ブレーキ作動データを左側および右側電力処理チャネルに与えるよう構成される。電気ブレーキシステムのある実施例では、左側および右側ＴＲＡデジタルデータ（バイナリデータのストリング）モジュール２１０／２０５の両方が、左側コマンド処理チャネルのための自動ブレーキ作動データを与える。
【００３１】
左側機外電力制御チャネル２１６および左側機外自動ブレーキコマンド制御チャネル２１４は、左側機外ブレーキメカニズム２３０、特に左側機外ブレーキアクチュエータ、の動作に影響を与えるよう協働する。この点において、左側機外電力制御チャネル２１６および左側機外自動ブレーキコマンド制御チャネル２１４は、電気自動ブレーキシステムの左側機外アーキテクチャについての制御構成を示す。この例の場合、左側機外電力制御チャネル２１６は、たとえば１３０ボルトの電源（図２に示さず）を用いて、左側機外ブレーキメカニズム２３０のために電気ブレーキアクチュエータ動作電力を与えるよう好適に構成される。左側機外電力制御チャネル２１６は、左側機外ブレーキメカニズム２３０を切換えるよう機能する。１つの実施例において、左側機外電力制御チャネル２１６は、図４の文脈において以下にさらに詳細に説明されるように、左側機外ブレーキメカニズム２３０、より具体的には左側機外ブレーキアクチュエータ２３１、に結合されるＥＢＡＣのために動作電力を調整するよう好適に構成される。
【００３２】
左側機外自動ブレーキコマンド制御チャネル２１４は、左側機外電力制御チャネル２１６と並列である。したがって、左側機外自動ブレーキコマンド制御チャネル２１４は、左側機外電力制御チャネル２１６と同時にかつ独立して動作する。左側機外自動ブレーキコ
マンド制御チャネル２１４は、左側機外ブレーキメカニズム２３０のためのブレーキメカニズム制御信号を処理するよう好適に構成される。１つの実施例では、左側機外自動ブレーキコマンド制御チャネル２１４は、左側機外ブレーキメカニズム２３０、より具体的には左側機外ブレーキアクチュエータ２３１に結合されるＥＢＡＣによる実行のためのブレーキ制御信号を生成するよう構成される。なお、ブレーキ制御信号は、左側機外ブレーキアクチュエータ２３１に適切な動作電力が与えられたときにのみ有効である。したがって、左側機外ブレーキアクチュエータ２３１は、ブレーキ制御信号が何らかのクランピング力の適用を命令するとともに左側機外電力制御チャネル２１６が動作電力を有効にする場合に、作動されることになる。対照的に、左側機外ブレーキアクチュエータ２３１は、左側機外自動ブレーキコマンド制御チャネル２１４が動作電力を無効にするまたはブレーキ制御信号がクランピング力を命令しない場合には、解放（非作動）状態のままとなる。
【００３３】
好ましい実施例では、電気ブレーキシステムの処理チャネルは、互いに実質的に（完全ではなくとも）独立である。たとえば、左側機外電力制御チャネル２１６は、左側機外自動ブレーキコマンド制御チャネル２１４から独立して、左側機外ブレーキメカニズム２３０、より具体的には左側機外ブレーキアクチュエータ２３１の作動を防止するよう好適に構成される。同様に、左側機外自動ブレーキコマンド制御チャネル２１４は、左側機外電力制御チャネル２１６から独立して、左側機外ブレーキアクチュエータ２３１の作動を防止するよう好適に構成される。これらの処理チャネルは、独立したパスを通じて、および／または別個のデータインターフェイスから異なる作動データタイプを受取る。自動ブレーキコマンド処理チャネル２１４／２１８／２２２／２２６は、ＴＲＡセンサデータモジュール２１０／２０５（図２においては、機外自動ブレーキコマンド制御チャネル２１４についてのみ示す）からＴＲＡデジタルデータを受取り、電力制御チャネル２１６／２２０／２２４／２２８は各々ＴＲＡセンサ離散データモジュール２０２／２０６から離散データを受取る。さらに、左側機外ブレーキメカニズム２３０、特に左側機外ブレーキアクチュエータ２３１のための制御構成と、左側機内ブレーキメカニズム２３２、特に左側機内ブレーキアクチュエータ２３３のための制御構成と、右側機内ブレーキメカニズム２３４、特に右側機内ブレーキアクチュエータ２３５のための制御構成と、右側機外ブレーキメカニズム２３６、特に右側機外ブレーキアクチュエータ２３７のための制御構成とは、互いに実質的に（完全ではなくても）独立している。たとえば、４つの制御構成が互いに同時かつ互いに独立して動作してもよく、または左側自動ブレーキ制御アーキテクチャが右側の自動ブレーキ制御アーキテクチャと同時にかつ独立して動作してもよい。図２に示される残りの３つの制御構成は、左側機外処理チャネルについて上述したように動作する。
【００３４】
図３は、この発明の実施例に従って構成される航空機電気ブレーキシステムのある部分の概略図である。詳細には、図３は左側電気ブレーキサブシステムアーキテクチャ３００のコンポーネントを示す（上述したように、右側電気ブレーキサブシステムアーキテクチャは同様の構造を有する）。電気ブレーキシステムは、図１および図２の文脈において上述したように構成されてもよい。したがって、左側電気ブレーキサブシステムアーキテクチャ３００のある機構、コンポーネント、および機能は、冗長となるのでここでは記載しない。
【００３５】
左側電気ブレーキサブシステムアーキテクチャ３００は、ＢＳＣＵ３０８と、機外電気ブレーキ電力供給ユニット（outboard electric brake power supply unit；ＥＢＰＳＵ）３１４と、機内ＥＢＰＳＵ３２８と、機外ＥＢＡＣ３１６と、機内ＥＢＡＣ３３０と、少なくとも１つの左側機外ブレーキアクチュエータ３２２を含む１つ以上の機外ブレーキメカニズム３２１と、少なくとも１つの左側機内ブレーキアクチュエータ３３６を含む１つ以上の機内ブレーキメカニズム３３７とを含んでもよい。サブシステムアーキテクチャ３００は、左側ＴＲＡセンサデジタルデータモジュール３０６、右側ＴＲＡセンサデジタ
ルデータモジュール３０７、右側ＴＲＡセンサ離散データモジュール３０２、左側ＴＲＡセンサ離散データモジュール３０４から、または図３に示されない他の自動ブレーキ作動センサデータモジュールから自動ブレーキ作動データを受取るまたは処理するよう好適に構成される。
【００３６】
ＢＳＣＵ３０８は、ＢＳＣＵ１１０について上述したように概して構成される。ＢＳＣＵ３０８は、機外自動ブレーキインターロック決定モジュール３１２と、機外自動ブレーキコマンド制御モジュール３１０と、機内自動ブレーキコマンド制御モジュール３２４と、機内自動ブレーキインターロック決定モジュール３２６とを含んでもよい。この例では、左側および右側ＴＲＡセンサ離散データモジュール３０２／３０４の両方は、各機外および機内自動ブレーキインターロック決定モジュール３１２／３２６に対してＴＲＡ自動ブレーキ作動離散データを利用可能にする。左側および右側ＴＲＡセンサデジタルデータモジュール３０６／３０７は、各機外および機内自動ブレーキコマンド制御モジュール３１０／３２４に対してデジタルデータを利用可能にする。
【００３７】
各自動ブレーキインターロック決定モジュール３１２／３２６は、自動ブレーキ作動データを処理し、自動ブレーキ作動データに応答して、ブレーキメカニズムの電源（たとえばＥＢＰＳＵ）についてのそれぞれの有効／無効制御信号を生成する。ここで、機外インターロック決定モジュール３１２は、機外ＥＢＰＳＵ３１４についての１つの有効／無効制御信号を生成し、その一方、機内自動ブレーキインターロック決定モジュール３２６は機内ＥＢＰＳＵ３２８についての別の有効／無効制御信号を生成する。たとえば、自動ブレーキ作動データが自動ブレーキ適用条件を示す場合、各々の自動ブレーキインターロック決定モジュール３１２／３２６は、そのそれぞれのブレーキメカニズムへの動作電力を独立して有効にする。ここで用いられるように、「自動ブレーキ適用条件」とは、自動ブレーキの適用へと繋がることを意図する航空機の任意の動作ステータス、状態、または構成を意味する。たとえば、自動ブレーキ適用条件は以下のことに起因し得る。すなわち、すべてのスロットルレバーをアイドル位置に配置すること、または航空機の加速度を閾値の加速度を下回るよう減少させること、つまり自動ブレーキモードの活性化、などである。他方では、自動ブレーキ作動データが自動ブレーキ適用条件を示さない場合、各々の自動ブレーキインターロック決定モジュール３１２／３２６は、そのそれぞれのブレーキメカニズムについて動作電力を独立して無効にする。この機構により、誤った自動ブレーキコマンドが左側電気ブレーキサブシステムアーキテクチャ３００を通って伝播する場合にこの機構がなければ起こり得る自動ブレーキの不用意な適用を防止する。
【００３８】
各々の自動ブレーキインターロック決定モジュール３１２／３２６は、以下の図４の文脈において説明されるように、自動ブレーキ作動データを処理してそれぞれの有効／無効制御信号を生成するデジタル論理ゲートと関連する回路網とを用いてハードウェアで実現されてもよい。この点において、有効／無効制御信号は論理ハイおよびロー状態を有するバイナリの制御信号であってもよい。ＥＢＰＳＵ３１４／３２８は、適切な態様で有効／無効制御信号のそれぞれに応答する。
【００３９】
この実施例では、左側機外自動ブレーキコマンド制御部３１０が、自動ブレーキ作動データに応答してそれぞれのブレーキ作動コマンド信号を生成するよう好適に構成されるが、自動ブレーキコマンド制御部３２４も、当該自動ブレーキ作動に応答してそれぞれのブレーキ作動コマンド信号を生成するよう好適に構成されてもよい。ここで、機外自動ブレーキコマンド制御部３１０モジュールは、機外ＥＢＡＣ３１６についてブレーキ作動コマンド信号を生成し、立ち代わって、機外ＥＢＡＣ３１６は、機外ブレーキメカニズム３２１、より具体的には左側機外ブレーキアクチュエータ３２２を制御する。その一方、機内自動ブレーキコマンド制御部３２４は、機内ＥＢＡＣ３３０についての独立したブレーキ作動コマンド信号を生成し、立ち代わって、機内ＥＢＡＣ３３０は機内ブレーキメカニズ
ム３３７、より具体的には機内ブレーキアクチュエータ３３６を制御する。実際の場合、ブレーキメカニズム制御信号は、ブレーキメカニズムにおいて電気ブレーキアクチュエータの作動に影響を与える（すなわち、電気ブレーキアクチュエータによって与えられる完全なクランピング力のパーセンテージ）。たとえば、ブレーキ作動コマンド信号は、クランピング力を解放または適用しないよう電気ブレーキアクチュエータにコマンドを与えてもよく、完全なクランピング力を適用するよう電気ブレーキアクチュエータにコマンドを与えてもよく、または何らかの中間のクランピング力を適用するよう電気ブレーキアクチュエータにコマンドを与えてもよい。
【００４０】
機外自動ブレーキインターロック決定モジュール３１２および機外自動ブレーキコマンド制御部３１０は、自動ブレーキ作動データに対して同時に（しかし独立して）動作を行なう。同様に、機内自動ブレーキインターロック決定モジュール３２６および機内自動ブレーキコマンド制御部３２４は、自動ブレーキ作動データに対して同時に（しかし独立して）動作する。この態様での処理アーキテクチャの分離により、電気自動ブレーキインターロックシステムの信頼性および堅牢性が向上する。
【００４１】
この実施例では、ＢＳＣＵ３０８は、必要に応じて、ＥＢＰＳＵ３１４／３２８を制御し、ブレーキアクチュエータ３２２／３３６を有効／無効にする。各々のＥＢＰＳＵ３１４／３２８は、動作電圧をそのそれぞれのＥＢＡＣ３１６／３３０に与えるよう構成される。図２に関連して上述したように、この実施例の場合、公称ＥＢＡＣ動作電圧は約１３０ボルトである。したがって、ＥＢＰＳＵは、この１３０ボルトの供給電圧をＥＢＡＣに与える／そこから取除くことによりブレーキアクチュエータを有効／無効にし得る。
【００４２】
機外ＥＢＰＳＵ３１４は、アクチュエータ電力パス３２０およびアクチュエータコマンドパス３１８を用いてもよい。アクチュエータ電力パス３２０は、機外ＥＢＰＳＵから左側機外ブレーキメカニズム３２２へ動作電力を与えるよう構成される構造、チャネル、またはアーキテクチャを示す。アクチュエータコマンドパス３１８は、自動ブレーキ制御信号を処理するとともに当該自動ブレーキ制御信号をＢＳＣＵ３０８から機外ブレーキメカニズム３２１に転送するよう構成される構造、チャネル、またはアーキテクチャを示す。機内ＥＢＡＣ３３０はさらに、同様に構成されるアクチュエータコマンドおよびアクチュエータ電力パスを含む。この例において、これらの４つのパスは別個であり、互いに独立している。
【００４３】
図４は、この発明の実施例に従って構成される航空機電気ブレーキサブシステムアーキテクチャ４００の部分（左側機外）のための電気自動ブレーキインターロックシステムの概略図である。この例示的な実施の場合、サブシステムアーキテクチャ４００は一般的に、自動ブレーキアクチュエータデータ生成システム４３８と、電力制御処理チャネル４６６と、自動ブレーキコマンド処理チャネル４７２と、ＢＳＣＵ４４６と、ＥＢＡＣ４６４と、ブレーキアクチュエータ４７４とを含む。サブシステムアーキテクチャ４００はさらに、図１−図３の文脈において上述したように構成されてもよい。したがって、サブシステムアーキテクチャ４００のある機構、コンポーネント、および機能は、冗長となるのでここでは記載しない。
【００４４】
自動ブレーキアクチュエータデータ生成システム４３８は一般的に、右側スロットルレバー４０２と、左側スロットルレバー４１６と、推進処理ユニット４０５と、右側ＴＲＡデータスイッチ４３６を含む右側ネットワークインターフェイス（ＲＮＩ）４３２と、左側ＴＲＡデータスイッチ４４２を含む左側ネットワークインターフェイス（ＬＮＩ）４３３とを含む。サブシステムアーキテクチャ４００は、ＲＮＩ４３２を介して右側ＴＲＡセンサインターフェイス４０６／４０８からの自動ブレーキ作動データを受け取りまたは処理し、ＬＮＩ４３３を介して左側ＴＲＡセンサインターフェイス４２０／４２２からの自
動ブレーキ作動データを受け取りまたは処理し、さらにネットワークインターフェイス４３９からのブレーキ作動コマンド入力を受け取りまたは処理するよう好適に構成される。
【００４５】
スロットルレバー４０２／４１６は、図１の文脈で上述したように、入力を電気ブレーキサブシステム４００に与えるために、入力を推進処理ユニット４０５に与えるよう構成される。
【００４６】
推進処理ユニット４０５は、電気飛行機ネットワークバス４３０を介してＲＮＩ／ＬＮＩ４３２／４３３にＴＲＡ入力を与えるよう構成される。ＴＲＡセンサ４０５／４０７および４１９／４２１の値がアイドル（ＴＲＡ値がしきい値を下回る）際は、自動ブレーキを有効にするブレーキへの電力がいつでも望まれる。そうでなければ、電力は、自動ブレーキをインターロック／無効化する態様でブレーキに与えられない。
【００４７】
ＲＮＩ／ＬＮＩ４３２／４３３は、ＢＳＣＵ４４６に左側ＴＲＡセンサ値および右側ＴＲＡセンサ値を与える。不用意なブレーキ（すなわちデータエラー）から保護するよう、各々のＲＮＩ／ＬＮＩ４３２／４３３は、推進ユニット４０５から２つのデジタルＴＲＡ位置を受取る。たとえば、右側ＲＮＩ４３２は冗長な右側ＴＲＡデジタル値を受取る。右側ＲＮＩ４３２は、右側ＴＲＡデジタル値の冗長コピーから入手可能な第１の有効な値をゲートウェイ接続し、ＬＮＩ４３３は、左側ＴＲＡデジタル値の冗長コピーから入手可能な第１の有効値をゲートウェイ接続する。各々のＲＮＩ／ＬＮＩ４３２／４３３は次いで、自身のそれぞれのスロットルが「アイドル」または「進行」かどうかを示すデジタル離散信号に基づき、デジタル−アナログ変換（図４に示さず）を行ない、これにより電力制御処理チャネル４６６、特にＢＳＣＵ４４６の動作に好適なアナログ離散出力信号（ハイ／ロー）を得る。ＬＮＩ／ＲＮＩは、左側および右側ＴＲＡの信号のハイ／ロー値をＢＳＣＵ４４６、特に、自動ブレーキインターロック決定モジュール４４８に与える。
【００４８】
ＴＲＡ信号のハイ値は、ＴＲＡデータスイッチ４３６／４４２を介して電力制御処理チャネル４６６へと与えられる。なお、ＴＲＡデータスイッチ４３６／４４２は、ＴＲＡセンサ値がアイドルでないことを示す図４の例示的な実施例における開位置にあるのが示されている。ＴＲＡセンサ値がアイドルであることを示す際は、ＴＲＡデータスイッチ４３６／４４２は閉じる。この点において、ＴＲＡセンサ値がアイドルである／アイドルでないかに基づき、電力処理チャネルは以下に説明されるようにブレーキへの電力供給を制御する。
【００４９】
電力制御処理チャネル４６６は、自動ブレーキインターロック決定モジュール４４８およびＥＢＰＳＵ４６２を一般的に含んでもよい。電力制御処理チャネル４６６は、たとえばＢＳＣＵ４４６およびＥＢＡＣ４６４といった電気ブレーキサブシステムアーキテクチャ４００のコンポーネントにおいて実現されてもよい。
【００５０】
自動ブレーキインターロック決定モジュール４４８は、自動ブレーキ作動データを処理してそれぞれの有効／無効制御信号を生成するデジタル論理ゲートと関連する回路網とを用いてハードウェアで実現されてもよい。自動ブレーキインターロック決定モジュール４４８は、ＴＲＡセンサ値に基づき、有効／無効電力制御信号をＥＢＰＳＵ４６２に与える。この例示的な実施例において、自動ブレーキインターロック決定モジュール４４８は、ＯＲゲート４５２、自動ブレーキ有効／無効モジュール４６０、および有効／無効電力制御信号４５８を含む。ＥＢＰＳＵ４６２は、ここに記載されるような態様でそれぞれの有効／無効電力制御信号４５８に応答する。自動ブレーキインターロック決定モジュール４４８は、上述したようにＲＮＩ／ＬＮＩ４３２／４３３から２つの入力信号４５４／４５６（論理ハイまたは論理ロー）を受取る。入力信号４５４は、左側スラストレバー４１６が「進行」または「アイドル」であるかどうかを伝え、入力信号４５６は、右側スラスト
レバー４０２が「進行」または「アイドル」であるかどうかを伝える。入力信号４５４／４５６の少なくとも１つは、ＢＳＣＵ４４６、特に自動ブレーキ有効／無効モジュール４６０が電力有効信号４５８をＥＢＰＳＵ４６２に出力してＥＢＡＣ４６４を活性化するよう「アイドル」を示さなければならない（この点において、自動ブレーキ機能の利用可能性が１つのエンジンにおいて確保される）。別の態様では、自動ブレーキ有効／無効モジュール４６０は、作動電力がＥＢＡＣに到達するのを防止するとともに特にブレーキアクチュエータ４７４を無効にするよう、電力無効信号４５８をＥＢＰＳＵ４６２に出力する。この点において、電力制御処理チャネル４６６は、自動ブレーキコマンド処理チャネル４７２から独立して、不用意な自動ブレーキの適用に繋がり得るいかなる単一の障害からでも保護するよう必要なアーキテクチャを与える。
【００５１】
自動ブレーキコマンド処理チャネル４７２は一般的に、自動ブレーキコマンド制御モジュール４６８を含んでもよい。自動ブレーキコマンド処理チャネル４７２は、たとえば、ＢＳＣＵ４４６およびＥＢＡＣ４６４といった電気ブレーキサブシステムアーキテクチャ４００のコンポーネントにおいて実現されてもよい。
【００５２】
自動ブレーキコマンド制御モジュール４６８は、自動ブレーキインターロック決定モジュール４４８から独立して（しかし同時に）、デジタルネットワークインターフェイス４３９から自動ブレーキ作動データを受取り、ブレーキシステムに障害がないかおよびスラストレバーがアイドル位置にあるかといった自動ブレーキ適用条件が満足されるかどうかを判断し、受取った自動ブレーキ作動データに応答してブレーキ制御信号を生成する。自動ブレーキ作動データが、自動ブレーキ適用条件が満足されていないことを示している場合、自動ブレーキコマンド制御モジュール４６８は約０％のクランピング力のコマンド（すなわち、ブレーキ適用なし）を生成する。したがって、自動ブレーキが自動ブレーキコマンド制御モジュール４６８によって不用意に命令され、かつ自動ブレーキインターロック決定モジュール４４８が電力無効信号を出力する場合、自動ブレーキコマンド制御モジュール４６８はブレーキを活性化しない。
【００５３】
端的に言えば、電気ブレーキサブシステムアーキテクチャ４００は、飛行機ネットワーク４３０にて利用可能となった右側ＴＲＡデータおよび左側ＴＲＡデータを用いて、上述した態様で自動ブレーキインターロック有効／無効制御信号を作り出す。この点において、電力制御処理チャネル４６６および自動ブレーキコマンド処理チャネル４７２は、同時に（しかし独立して）動作し、自動ブレーキ作動データに応答して、以下に説明される処理を用いて自動ブレーキの適用を有効／無効にする。
【００５４】
図５は、航空機電気ブレーキシステムに関連した利用に好適な電気自動ブレーキインターロック処理５００を示すフローチャートである。処理５００に関連して行なわれるさまざまなタスクは、ソフトウェア、ハードウェア、ファームウェア、またはそれらの任意の組合せによって行なわれてもよい。例示的な目的のため、処理５００の以下の説明は、図１−図４に関連して上述した要素を参照し得る。この発明の実施例において、処理５００の部分は、記載したシステムの異なる要素、たとえばＢＳＣＵ、ＥＢＡＣ、またはＥＢＰＳＵなどによって行なわれてもよい。処理５００は任意の数の付加的または代替的なタスクを含んでもよく、図５に示されるタスクは記載された順序で実行される必要はなく、かつ処理５００はここで詳細には記載されない付加的な機能を有するさらに包括的な手順または処理に統合されてもよい。
【００５５】
電気自動ブレーキインターロック処理５００に関連して、電気自動ブレーキシステムは、連続的なまたは高速サンプリングの態様で自動ブレーキ作動データ（タスク５０２）を受取るとともに処理する。図５は、処理５００の間に同時に起こる２つの処理分岐を示す。電力インターロック処理分岐５０４が図５の左側に示され、自動ブレーキコマンド処理
分岐５０６が図５の右側に示される。電力インターロック処理分岐５０４は自動ブレーキ作動データ、特にＴＲＡセンサ離散データを分析し、当該データが自動ブレーキ適用条件を示しているかどうかを判断する（クエリタスク５０８）。示している場合、処理５００は、「電力供給有効」制御信号を生成し（タスク５１０）、電力供給有効制御信号は、ブレーキメカニズム、特に電気ブレーキアクチュエータのための電力供給を有効にする（タスク５１２）。言い換えると、ブレーキメカニズムはブレーキ制御信号に応答することができることになる。この例において、処理５００はＥＢＰＳＵを制御し、動作電力がＥＢＰＳＵに結合されるＥＢＡＣに与えられるようにその動作電力供給をオンに切換える。立ち代わって、ＥＢＡＣは、動作電力をブレーキメカニズム、特に電気ブレーキアクチュエータに与える。
【００５６】
クエリタスク５０８が自動ブレーキ適用条件を示していない場合、電気自動ブレーキインターロック処理５００は、ブレーキアクチュエータを無効化するよう、ブレーキメカニズムのための動作電力を調整する。この点において、処理５００は、ブレーキメカニズムのための電力供給を無効化する「電力供給無効」制御信号を生成する（タスク５１４）（その結果、処理５００はブレーキアクチュエータから動作電力を取除く−タスク５１６）。言い換えると、自動ブレーキ適用条件が満たされない限り、ブレーキアクチュエータはいかなるブレーキ制御信号にも応答することができない。なぜならば、ブレーキアクチュエータには十分な動作電力が欠如しているからである。この例において、処理５００はＥＢＰＳＵを制御し、ＥＢＰＳＵに結合されるＥＢＡＣから動作電力を取除くようその動作電力供給をオフに切換える。立ち代わって、ＥＢＡＣはもうブレーキメカニズムに動作電力を提供しない。
【００５７】
電力インターロック処理分岐５０４と同時に（かつ独立して）、自動ブレーキコマンド処理分岐５０６は、自動ブレーキ作動データ、特にＴＲＡデジタルデータを処理する（タスク５１８）。自動ブレーキ作動データが自動ブレーキ適用条件を示す場合（クエリタスク５２０）、処理５００は、ブレーキメカニズムの作動を制御するのを試みて、自動ブレーキ作動データに応答してブレーキ作動制御コマンドを生成する（タスク５２２）。言い換えると、ブレーキ作動制御コマンドは、ブレーキアクチュエータに命令して、指定された量だけ作動し、これにより何らかのブレーキクランピング力が与えられる。言い換えると、ブレーキ作動制御コマンドは、ブレーキメカニズム、特にブレーキアクチュエータを制御し、クランピング力を解放またはクランピング力の適用をしないようにする。自動ブレーキ作動データが自動ブレーキ適用条件を示していない場合（クエリタスク５２０）、ブレーキ作動制御コマンドは、ブレーキアクチュエータの作動を防止するよう生成されない（タスク５２４）。上述したように、これらのブレーキ作動コマンドは、電力インターロック処理分岐５０４がブレーキメカニズムから動作電力を取除く場合は非有効となる。言い換えると、処理５００は、次の２つの動作が起こる場合、ブレーキメカニズム、特に電気ブレーキアクチュエータについての作動制御を実行する（参照番号２５６）。すなわち、動作電力が電気ブレーキアクチュエータを有効化するよう与えられる場合と、ブレーキ作動制御が、自動ブレーキ適用条件を示す自動ブレーキ作動データに応答して命令される場合とである。
【００５８】
まとめると、ここで記載されたような電気自動ブレーキインターロックシステムは、ブレーキメカニズム、特にブレーキアクチュエータの動作電力のためのオン／オフ制御を提供するハードウェアベースの自動ブレーキインターロックパスと、ブレーキメカニズムのためのブレーキ作動制御コマンドを生成するソフトウェアベースの処理パスとを有する自動ブレーキ制御アーキテクチャを用いる。この方策により、命令していないのに自動ブレーキが適用される確率は、ハードウェアインターロック障害およびソフトウェア制御障害の両方の確率であり、実際の実施において非常に低い。共通のコンポーネントは、自動ブレーキアクチュエータモータとモータ制御部（自身でコマンドを出すことはあまりない）
とデジタルＴＲＡデータの源とだけである。
【００５９】
少なくとも１つの例示的な実施例が上記の詳細な説明において提示されたが、膨大な数の変形例が存在することは理解されるべきである。ここで記載された例示的な実施例は、いかなる点においても、この発明の範囲、適用可能性、または構成を限定することを意図していないということをも理解されるべきである。むしろ、上記の詳細な説明は、記載した実施例を実施するための簡便な道筋を当業者に与えるものである。この発明の範囲から逸脱することがなければ、要素の機能および構成においてさまざまな変更がなされ得、この発明の範囲は、この特許出願が出願される際に公知の均等物および予見可能な均等物を含む特許請求の範囲によって規定される。
【図１】
2010514608.tif 000003
【図２】
2010514608.tif 000004
【図３】
2010514608.tif 000005
【図４】
2010514608.tif 000006
【図５】
2010514608.tif 000007
【手続補正書】
【提出日】平成21年7月16日(2009.7.16)
【手続補正１】
【補正対象書類名】明細書
【補正対象項目名】全文
【補正方法】変更
【補正の内容】
【発明の詳細な説明】
【技術分野】
【０００１】
技術分野
この発明の実施例は一般的に航空機のための電気ブレーキシステムに関する。より詳細には、この発明の実施例は航空機の電気ブレーキシステムのための自動ブレーキインターロックシステムに関する。
【背景技術】
【０００２】
背景
多くの航空機は、直結ケーブルまたは油圧制御アーキテクチャにより制御されるブレーキメカニズムを有するブレーキシステムを用いる。現代の航空機では、従来のケーブル作動および油圧作動の航空機ブレーキシステムが、電気作動および電気制御されるブレーキシステムに取って代わられ始めている。航空機のブレーキシステムは、不用意なブレーキ（すなわち、パイロットまたは自動化された航空機システムからの正当なブレーキコマンドがない状態でのブレーキの適用）を防止する安全機能を有するよう設計されるべきである。さらに、航空機のブレーキシステムは、信頼性のあるブレーキの制御および堅牢性を提供するよう、十分な処理の冗長性を含むべきである。
【発明の概要】
【課題を解決するための手段】
【０００３】
簡潔な概要
航空機とともに用いるのに好適な電気自動ブレーキインターロックシステムは、車輪にブレーキをかけることを管理する電気ブレーキアクチュエータに動作電力が与えられるかどうかを制御する自動ブレーキインターロック構成を含む。自動ブレーキインターロック構成は、ブレーキメカニズム制御信号を生成するソフトウェアベースのコマンドアーキテクチャと並列のブレーキメカニズムのための動作電力を調整するハードウェアベースの電力制御アーキテクチャを含む。１つの実施例では、複数のこのようなインターロック構成が独立した態様で複数の車輪ブレーキ（または複数の車輪ブレーキのグループ）のために用いられ、これにより信頼性および堅牢性を提供する。この電気自動ブレーキインターロ
ックシステムは、スロットルレゾルバ角度（ＴＲＡ）データを用いて、自動ブレーキの適用を有効／無効にするよう自動ブレーキインターロックを駆動する。ＴＲＡデータは、航空機のエンジンによって用いられ、航空機のデジタル通信システム上にて入手可能である。実際では、自動ブレーキの設計は、すでに飛行機上に存在しているネットワークアーキテクチャを用いてもよい（自動ブレーキ使用のために専用に加えられるデータ転送設計要素が加えられなくてもよい）。
【０００４】
この発明の上記および他の局面は、１つの実施例において、航空機の電気自動ブレーキインターロックシステムのための制御構成によって実施されてもよい。制御構成は、自動ブレーキ入力信号を処理するとともに電気ブレーキシステムのブレーキ作動のための動作電力を有効／無効にするよう構成されるアクチュエータ電力制御アーキテクチャを含む。制御構成はさらに、アクチュエータ電力制御アーキテクチャと並列の自動ブレーキコマンドアーキテクチャを含む。自動ブレーキコマンドアーキテクチャは、自動ブレーキ入力信号を処理するとともに、電気ブレーキシステムのための自動ブレーキ作動データに応答してブレーキ作動制御コマンドを生成するよう構成される。アクチュエータ電力制御アーキテクチャは、自動ブレーキコマンドアーキテクチャから独立して、ブレーキの作動を防止することが可能である。逆に、自動ブレーキコマンドアーキテクチャは、アクチュエータ電力制御アーキテクチャから独立して、ブレーキの作動を防止することが可能である。
【０００５】
この発明の上記および他の局面は、別の実施例において、航空機の電気ブレーキシステムのための自動ブレーキインターロックを提供するための方法によって実施されてもよい。この方法は、自動ブレーキ作動データを受取ることと、当該自動ブレーキ作動データを処理することと、自動ブレーキ作動データが自動ブレーキ適用条件を示さない場合、ブレーキメカニズムのための動作電力を調節して一時的にブレーキメカニズムを無効にすることとを伴う。この電力制御スキームと同時および独立して、この方法は、自動ブレーキ作動データを処理し、自動ブレーキ作動データが自動ブレーキ適用条件を示していない場合、当該方法はブレーキの作動メカニズムを妨げる。この方法は、以下の２つの動作が同時に起きた場合、ブレーキメカニズム、特に電気ブレーキアクチュエータのための作動制御を与える。すなわち、動作電力が電気ブレーキアクチュエータを有効にするよう与えられることと、正当な自動ブレーキ適用条件に応答して、ブレーキ作動制御が命令されることとである。
【０００６】
この発明の上記および他の局面は、別の実施例において、航空機のための電気自動ブレーキインターロックシステムによって実施されてもよい。電気自動ブレーキインターロックシステムは、航空機の車輪のためのブレーキメカニズムと、ブレーキメカニズムに結合される自動ブレーキ制御アーキテクチャとを含む。自動ブレーキ制御アーキテクチャは、自動ブレーキ作動データに応答して、ブレーキメカニズム、特に電気ブレーキアクチュエータのためのブレーキメカニズムコマンド信号を生成するよう構成される自動ブレーキコマンド制御部と、自動ブレーキ作動データに応答して、ブレーキメカニズム、特に電気ブレーキアクチュエータのための動作電力を調節するよう構成されるインターロックメカニズムとを含む。インターロックメカニズムは、自動ブレーキコマンド制御部の動作と同時に、かつ自動ブレーキコマンド制御部から独立して動作する。
【０００７】
好ましくは、第１の自動ブレーキインターロックメカニズムは、第１のブレーキメカニズムのための動作電力を有効／無効にするよう構成される自動ブレーキアクチュエータ電力制御アーキテクチャに存在し、第１の自動ブレーキコマンド制御部は、自動ブレーキアクチュエータ電力制御アーキテクチャと並列である自動ブレーキアクチュエータコマンドアーキテクチャに存在し、自動ブレーキアクチュエータコマンドアーキテクチャは、第１のブレーキメカニズムのためのブレーキメカニズム制御信号を処理するよう構成される。
【０００８】
好ましくは、自動ブレーキアクチュエータ電力制御アーキテクチャは、自動ブレーキアクチュエータコマンドアーキテクチャから独立して、第１のブレーキメカニズムの作動を防止することが可能であり、自動ブレーキアクチュエータコマンドアーキテクチャは、自動ブレーキアクチュエータ電力制御アーキテクチャから独立して、第１のブレーキメカニズムの作動を防止することが可能である。
【０００９】
好ましくは、自動ブレーキアクチュエータ電力制御アーキテクチャは、自動ブレーキ作動データを処理するよう構成され、かつ自動ブレーキ作動データに応答して、第１のブレーキメカニズムの電力供給のための有効／無効制御信号を生成するよう構成される自動ブレーキインターロック決定モジュールを含む。
【００１０】
好ましくは、インターロック決定モジュールは、自動ブレーキ作動データが自動ブレーキ適用条件を示す際に、第１のブレーキメカニズムのための動作電力を有効にするよう構成される。
【００１１】
好ましくは、インターロック決定モジュールは、自動ブレーキ作動データが自動ブレーキ適用条件を示さない際に、第１のブレーキメカニズムのための動作電力を無効にするよう構成される。
【００１２】
この概要は、詳細な説明において以下にさらに記載される簡略された形態で概念の選択したものを紹介するよう与えられる。この概要は、特許請求された主題の主となる特徴または必須の特徴を特定することを意図するものではなく、特許請求された主題の範囲を決定する助けとなるものとして用いられることも意図しない。
【００１３】
この発明のさらに完全な理解は、添付の図面に関連して考慮し、詳細な説明および特許請求の範囲を参照することにより導き出され得る。図面を通じて、同様の参照番号は同様の要素を指す。
【図面の簡単な説明】
【００１４】
【図１】航空機電気ブレーキシステムの概略図である。
【図２】航空機電気ブレーキシステムの独立した処理チャネルを示す図である。
【図３】航空機電気ブレーキシステムの部分の概略図である。
【図４】航空機電気ブレーキシステムの部分のための電気自動ブレーキインターロックシステムの概略図である。
【図５】航空機電気自動ブレーキインターロックシステムのための自動ブレーキインターロック処理を示すフローチャートの図である。
【発明を実施するための形態】
【００１５】
詳細な説明
以下の詳細な説明は、単に説明的な性質のものであり、この発明の実施例またはこのような実施例の適用および利用を制限することを意図するものではない。さらに、前述の技術分野、背景、簡潔な概要、または以下の詳細な説明において提示される如何なる明確なまたは示唆される理論によって束縛されることを意図しない。
【００１６】
ここで、この発明の実施例は、機能および／または論理ブロックコンポーネントならびにさまざまな処理ステップの点において記載され得る。このようなブロックコンポーネントは、特定された機能を実行するよう構成される任意の数のハードウェア、ソフトウェア、および／またはファームウェアコンポーネントによって実現されてもよい。たとえば、この発明の実施例は、１つ以上のマイクロプロセッサまたは他の制御装置の制御の下でさまざまな機能を実行し得るさまざまな集積回路コンポーネント、たとえばメモリ要素、デ
ジタル信号処理要素、論理要素、またはルックアップテーブルなどを用いてもよい。さらに、当業者ならば、この発明の実施例が、さまざまな異なる航空機ブレーキシステムおよび航空機の構成に関連して実施され得るということと、ここに記載されるシステムが単にこの発明の例示的な一実施例であるということとを理解するであろう。
【００１７】
簡潔さのため、信号処理、航空機のブレーキシステム、ブレーキシステム制御、およびシステムの他の機能的な局面（ならびにシステムの個々の動作コンポーネント）に関連付けられる従来の技術およびコンポーネントはここでは詳細に説明されない場合がある。さらに、ここに含まれるさまざまな図面において示される接続線は、さまざまな要素の間の例示的な機能的関係および／または物理的結合を示すよう意図される。なお多くの代替的もしくは付加的な機能的関係または物理的接続がこの発明の実施例において存在してもよい。
【００１８】
以下の説明では、ともに「接続」または「結合」されている要素、ノード、または機構を参照する。ここで用いられるように、明らかに別のように述べていなければ、「接続される」は、１つの要素／ノード／機構が別の要素／ノード／機構に、必ずしも機械的ではなく直接的に接合（または直接的に連通）されることを意味する。同様に、明らかに別のように述べられてなければ、「結合される」は、１つの要素／ノード／機構が、別の要素／ノード／機構に、必ずしも機械的ではなく直接的もしくは間接的に接合（または直接的もしくは間接的に連通）されるということを意味する。したがって、図１−図３は要素の例示的な構成を示すが、付加的な仲介要素、装置、機構、またはコンポーネントがこの発明の実施例に存在してもよい。
【００１９】
ここで記載される航空機は、メインの航空機バッテリのような任意の好適な電源または航空機のエンジンが動作している間に動作可能であるアクティブな航空機電源によって電力が与えられ得る電気ブレーキシステムを用いる。先進的な飛行機では自動ブレーキが用いられる。自動ブレーキは、離陸または着陸の間、航空機のブレーキシステムが自動化されたシステムによって取扱わられ得るときに他のタスクを行なうことからパイロットを自由にするタイプの自動ブレーキシステムである。着陸の際、自動ブレーキにより、パイロットは、ブレーキが自動的に取扱われる間、他のシステムを監視および飛行機を制御することが可能になる。滑走路への接地の際に、航空機は自動的に車輪のブレーキを係合させる。ペダルブレーキを用いる代わりに自動ブレーキを係合させることには、閉ループブレーキ制御アルゴリズムによって均一な減速が可能になるという付加的な利点がある。ブレーキのかかる度合いは選択され得、ブレーキの適用は、航空機の抗力、逆推力装置、またはスポイラーといった他の減速要因にかかわらず、選択されたレベルで航空機が減速するように自動的に調節される。離陸の際、航空機の自動ブレーキは離陸中断（rejected takeoff；ＲＴＯ）モードに設定され得る。ＲＴＯ設定にある際には、航空機はあるステータスインジケータを監視し、これらのインジケータに依存してＲＴＯブレーキを係合させる。これは、たとえば、逆推力が活性化される場合またはパイロットが両方のスロットルを「アイドル」位置に戻す場合である。電気自動ブレーキシステムは、さまざまなブレーキメカニズム制御信号を生成する自動ブレーキコマンド機構から独立したインターロック機構を含む。インターロック機構は、電気ブレーキアクチュエータから作動電力を取除くことにより航空機の自動ブレーキの不用意な適用を防止するよう好適に構成される。したがって、アクチュエータは、不用意にブレーキを適用するよう命令された場合でも、作動電力の欠如により、この不用意な自動ブレーキコマンドに対して応答することができなくなる。同様に、作動電力がアクチュエータに供給された場合でも、自動ブレーキコマンドの欠如により、不用意にブレーキを適用することができなくなる。
【００２０】
図１は、航空機のための電気ブレーキシステム１００の例示的な実施例の概略図である。図１に示される例示的な実施例において、航空機は、同様に構成される左側電気ブレー
キサブシステムアーキテクチャ１０２と右側電気ブレーキサブシステムアーキテクチャ１０４とを用いる。「左側」および「右側」という用語はそれぞれ、航空機の左舷および右舷を指す。実際の場合、これら２つのサブシステムアーキテクチャ１０２／１０４は、以下に記載される態様で独立して制御されてもよい。単純さのため、以下では左側電気ブレーキサブシステムアーキテクチャ１０２のみが詳細に記載される。以下の説明は右側電気ブレーキサブシステムアーキテクチャ１０４にも適用されるということが理解されるべきである。
【００２１】
この例示的な実施の場合、一般的に左側電気ブレーキサブシステムアーキテクチャ１０２は、スロットルレバー１０６と、ブレーキシステム制御ユニット（brake system control unit；ＢＳＣＵ）１１０と、ＢＳＣＵ１１０に結合される機外の電気ブレーキアクチュエータ制御部（electric brake actuator control；ＥＢＡＣ）１１２と、ＢＳＣＵ１１０に結合される機内のＥＢＡＣ１１４と、前輪１１６および後輪１１８を含む機外の車輪グループと、前輪１２０および後輪１２２を含む機内の車輪グループと、ＥＢＡＣに結合される電気ブレーキメカニズム（図１に示さず）と、遠隔データ集信機（参照番号１３２、１３４、１３６、および１３８）とを含む。各電気ブレーキメカニズムは、それぞれのＥＢＡＣによって制御される少なくとも１つの電気ブレーキアクチュエータ（参照番号１２４、１２６、１２８、および１３０）を含む。電気ブレーキメカニズムおよび遠隔データ集信機は、左側電気ブレーキサブシステムアーキテクチャ１０２の各々の車輪に対応する。図１に示されてはいないが、実施例は、車輪ごとに１つより多い電気ブレーキメカニズムおよび１つより多い遠隔データ集信機を有してもよい。
【００２２】
電気ブレーキシステム１００は、航空機のための任意の数の電気ブレーキ構成に適用され得、電気ブレーキシステム１００は説明の容易さのために単純化された態様で示される。実施される電気ブレーキシステム１００の実施例は、任意の数のＢＳＣＵと、各ＢＳＣＵに結合および制御される任意の数のＥＢＡＣと、各車輪について（または車輪の各々のグループについて）任意の数のブレーキメカニズムとを含んでもよい。動作時には、電気ブレーキシステム１００は、航空機の各車輪についてまたは任意のグループの車輪について同時にブレーキアクチュエータ制御信号を独立して生成および適用し得る。
【００２３】
左側電気ブレーキサブシステムアーキテクチャ１０２における要素は、データ通信バスまたは任意の好適な相互接続構成もしくはアーキテクチャを用いて、ともに結合され得る。たとえば、デジタルデータ通信バスは、ＥＢＡＣ制御信号をＢＳＣＵ１１０からＥＢＡＣへと通信し、アクチュエータ制御信号をＥＢＡＣから電気ブレーキアクチュエータ１２４／１２６／１２８／１３０などへと通信するよう構成されてもよい。簡潔にいえば、ＢＳＣＵ１１０はスロットルレバー１０６／１４２の操作に反応し、ＥＢＡＣ１１２／１１４が受取る制御信号を生成する。立ち代わって、ＥＢＡＣ１１２／１１４は、電気ブレーキメカニズム、特に、アクチュエータ１２４／１２６／１２８／１３０が受取るブレーキメカニズム制御信号を生成する。立ち代わって、電気ブレーキアクチュエータ１２４／１２６／１２８／１３０はそれぞれの車輪の回転を邪魔するまたは防止するよう作動する。これらの機構およびコンポーネントは、より詳細に以下に記載される。
【００２４】
スロットルレバー１０６および１４２は、電気ブレーキシステム１００に入力を与えるよう構成される。パイロットはスロットルレバー１０６および１４２を物理的に操作し、これによりスロットルレバー１０６および１４２の回転または運動（すなわち何らかの形態の物理的入力）がなされる。たとえば、電気ブレーキシステム１００（特にＢＳＣＵ１１０）は、図４の文脈において以下に詳細に説明されるように、スラストレバーがアイドルでない場合に自動ブレーキの適用を防止するよう構成されてもよい。この物理的回転またはスロットルレゾルバ角度（throttle resolver angle；ＴＲＡ）は、１つ以上のスラストレバーセンサによってその本来の位置から計測され、ＢＳＣＵ制御信号へと変換され
、ＢＳＣＵ１１０に送られる。ＢＳＣＵは、ブレーキアクチュエータ１２４／１２６／１２８／１３０について所望の自動ブレーキ条件を伝えてもよく、または図４の文脈において以下に詳細に説明されるようにブレーキアクチュエータ１２４／１２６／１２８／１３０を無効にしてもよい。
【００２５】
電気ブレーキシステム１００の実施例は、任意の数のＢＳＣＵ１１０を用いてもよい。説明の容易さのため、この例では、ＢＳＣＵ１１０は１つのみ含まれる。ＢＳＣＵ１１０は、ブレーキコマンドを示すＥＢＡＣ制御信号をデジタルで算出する埋込ソフトウェアを有する電子制御ユニットである。この電気的およびソフトウェアの実現例により、所与の航空機の実施に必要とされる場合、ブレーキの能力および感覚のさらに他の最適化およびカスタマイズが可能になる。
【００２６】
ＢＳＣＵ１１０は、ここに記載される機能を実行するよう設計される、汎用プロセッサ、コンテントアドレス可能なメモリ、デジタル信号プロセッサ、特定用途集積回路、フィールドプログラム可能なゲートアレイ、任意の好適なプログラム可能な論理装置、離散ゲートもしくはトランジスタ論理、離散ハードウェアコンポーネント、またはそれらの任意の組合せにより実施または実行されてもよい。プロセッサは、マイクロプロセッサ、コントローラ、マイクロコントローラ、または状態機械として実現されてもよい。プロセッサはさらに、計算装置の組合せ、たとえばデジタル信号プロセッサおよびマイクロプロセッサの組合せ、複数のマイクロプロセッサ、デジタル信号プロセッサコアに連動する１つ以上のマイクロプロセッサ、または任意の他のこのような構成として実現されてもよい。一実施例では、ＢＳＣＵ１１０は、ソフトウェアをホスティングするとともに、当該ソフトウェアのための外部インターフェイスを提供するコンピュータプロセッサ（たとえばパワーＰＣ（PowerPC）５５５）で実現される。
【００２７】
ＢＳＣＵ１１０は、さまざまな航空機入力を監視し、ペダルブレーキ、パーキングブレーキ、自動化されたブレーキ、およびギヤ引込みブレーキといった制御機能を与えるが、これらに限定されない。さらに、ＢＳＣＵ１１０は（ＢＡＣＵ１１０に対して内部または外部で生成され得る）滑り止めコマンドを組み合わせ、これによりブレーキ性能が増強される。ＢＳＣＵ１１０は、両方のスロットルレバー１０６／４２からの入力といったような付加的なコマンド制御信号とともに、ブレーキペダル（図１には示さず）からパイロットコマンド制御信号を得る。ＢＳＣＵ１１０はさらに、遠隔データ集信機１３２／１３４／１３６／１３８から付加的な制御データ（たとえば車輪スピード、回転方向、タイヤ空気圧など）を受取ってもよい。ＢＳＣＵ１１０はその入力信号を処理し、ＥＢＡＣ１１２／１１４が受取る１つ以上のＥＢＡＣ制御信号を生成する。実際では、ＢＳＣＵ１１０はデジタルデータバスを介してＥＢＡＣ１１２／１１４にＥＢＡＣ制御信号を送信する。一般化されたアーキテクチャ（図示せず）において、各ＢＳＣＵは、その制御の下で、任意の数のＥＢＡＣとともに用いられる独立した出力信号を生成し得る。
【００２８】
この例では、ＢＳＣＵ１１０はＥＢＡＣ１１２／１１４に結合される。各々のＥＢＡＣ１１２／１１４は、ＢＳＣＵ１１０について上述した態様で実施、実行、または実現されてもよい。一実施例では、各々のＥＢＡＣ１１２／１１４は、ソフトウェアをホスティングし、当該ソフトウェアのための外部インターフェイスを提供し、かつここに記載されるさまざまなＥＢＡＣ動作を実行するよう構成される好適な処理論理を含むコンピュータプロセッサ（たとえばパワーＰＣ５５５）で実現される。各ＥＢＡＣ１１２／１１４は、ＢＳＣＵ１１０からＥＢＡＣ制御信号を取得し、ＥＢＡＣ制御信号を処理し、その関連する電気ブレーキメカニズムについてブレーキメカニズム制御信号（ブレーキアクチュエータ信号）を生成する。
【００２９】
なお、ＢＳＣＵ１１０およびＥＢＡＣ１１２／１１４の機能は、単一のプロセッサベー
スの機構またはコンポーネントへと組合されてもよい。この点において、ＢＳＣＵ１１０、ＥＢＡＣ１１２、ＥＢＡＣ１１４、またはそれらの任意の組合せは、電気ブレーキシステム１００のためのブレーキ制御アーキテクチャであると考えられ得る。このようなブレーキ制御アーキテクチャは、ここで記載される自動ブレーキ制御動作をサポートする好適に構成された処理論理、機能、および機構を含む。
【００３０】
各車輪は関連する電気ブレーキメカニズムを含み得、各ブレーキメカニズムは１つ以上の電気ブレーキアクチュエータを含み得る。結果として、各々の車輪に対してブレーキをかけることは、電気ブレーキシステム１００により独立してかつ個々に制御され得る。各電気ブレーキアクチュエータは、そのそれぞれのＥＢＡＣからアクチュエータ制御信号を受取るよう好適に構成され、アクチュエータ制御信号は電気ブレーキアクチュエータの調節に影響を与える。この実施例では、電気ブレーキシステム１００における各々の電気ブレーキアクチュエータはＥＢＡＣに結合されるとともにＥＢＡＣによって制御される。この態様でＥＢＡＣ１１２／１１４は電気ブレーキアクチュエータを制御し、車輪ブレーキの適用を実行、解除、調節、およびそうでなければ制御する。この点で、ＥＢＡＣ１１２／１１４は、ＢＳＣＵ１１０が生成するそれぞれのＥＢＡＣ制御信号に応答してブレーキ制御信号を生成する。このブレーキ制御信号は、航空機によって用いられる特定のブレーキシステムとの互換性のために好適にフォーマットおよび構成される。当業者ならば、航空機ブレーキメカニズムおよびブレーキが制御される一般的な態様に詳しく、このような公知の局面はここでは詳細には記載されない。
【００３１】
左側電気ブレーキサブシステムアーキテクチャ１０２は、好適に構成された電気制御サブシステム１４０を含むかまたはそれと協働してもよい。電力制御サブシステム１４０は、ＢＳＣＵ１１０、ＥＢＡＣ１１２／１１４（および／または電気ブレーキシステム１００の他のコンポーネント）に結合されてもよい。この実施例では、電力制御サブシステム１４０は、必要に応じて、電気ブレーキメカニズムおよび／または電気ブレーキアクチュエータのための動作電力を提供、適用、除去、切換、またはそうでなければ調節するよう好適に構成される。たとえば、電力制御サブシステム１４０は、ＥＢＡＣ１１２／１１４および／または左側電気ブレーキサブシステムアーキテクチャ１０２の他のコンポーネントから必要に応じて電力を取除くことができ、これにより電気ブレーキシステム１００のためのインターロック機構が与えられる。以下にさらに詳細に記載されるように、電力制御サブシステム１４０は、左側機外および左側機内電気ブレーキコンポーネントのための動作電力を調製するよう独立した態様で機能する左側機外電力供給ユニットおよび左側機内電力供給ユニットにより実現されてもよい。
【００３２】
右側電気ブレーキサブシステムアーキテクチャ１０４は、左側電気ブレーキサブシステムアーキテクチャ１０２と同様の構造を有する（共通の特徴、機能、および要素はここでは冗長となるので記載しない）。この例示的な実施の場合、図１に示されるように、右側電気ブレーキサブシステムアーキテクチャ１０４は、スロットルレバー１０６とは別個でかつ区別される右側スロットルレバー１４２と、ＢＳＣＵ１４６と、機内ＥＢＡＣ１４８と、機外ＥＢＡＣ１５０と、電力制御サブシステム１４０とは別個であるとともに区別される電力制御サブシステム１５２とを含む。電気ブレーキシステム１００の当該２つの側は、スロットルレバー１０６／１４２の両方から自動ブレーキブレーキ作動データを受取る。代替的には、電気ブレーキシステム１００の２つの側は、他の別個かつ区別されるブレーキ作動メカニズム（図１に示さず）を用いてもよい。右側電気ブレーキサブシステムアーキテクチャ１０４のこれらのさまざまなコンポーネントはともに結合され、これにより左側電気ブレーキサブシステムアーキテクチャ１０２について上述したように動作するが、右側での処理は左側での処理と独立しているのが好ましい。
【００３３】
航空機のための電気ブレーキシステムの一実施例に従うと、自動ブレーキインターロッ
クメカニズムまたは機構が、車輪のブレーキの不用意な適用を防止するよう与えられる。当該電気ブレーキシステムにおけるシステムまたは制御メカニズムは、このような自動ブレーキインターロック機構を実現するよう設計され得る。たとえば、電気ブレーキシステム１００は、電気自動ブレーキインターロックシステムをサポートするよう構成されてもよい。
【００３４】
図２は、この発明の実施例に従って構成される航空機電気自動ブレーキインターロックシステムの独立した処理チャネルを示す図である。特に、図２は、左側機外電力制御チャネル２１６、左側機外自動ブレーキコマンド制御チャネル２１４、左側機内電力制御チャネル２２０、左側機内自動ブレーキコマンド制御チャネル２１８、右側機内電力制御チャネル２２８、右側機内自動ブレーキコマンド制御チャネル２２６、右側機外電力制御チャネル２２４、および右側機外自動ブレーキコマンド制御チャネル２２２を示す。これらの処理チャネルは、電気ブレーキシステム１００のコンポーネント、たとえば、ＢＳＣＵ、ＥＢＡＣ、電力制御サブシステムなど、において実現されてもよい。実際には、各々の処理チャネルは、ハードウェアコンポーネント、デジタル論理要素、処理論理、回路コンポーネント、または任意の好適に構成されるアーキテクチャ、構成、もしくは機構を含んでもよいがこれらに限定されない。さらに、各処理チャネルはここに記載されるそれぞれの動作を行なうよう好適に構成される。
【００３５】
この例について、左側処理チャネルは電気ブレーキシステムの左側の処理に対応し、右側処理チャネルは電気ブレーキシステムの右側の処理に対応する。この点において、左側および右側処理電力チャネルは各々、左側および右側ＴＲＡセンサ離散（ハイまたはローという２つの取り得る状態を有するバイナリ信号）データモジュール２０２／２０６によって入力を受け得る。これらのＴＲＡセンサ離散データモジュール２０２／２０６は、自動ブレーキ作動データを左側および右側電力処理チャネルに与えるよう構成される。電気ブレーキシステムのある実施例では、左側および右側ＴＲＡデジタルデータ（バイナリデータのストリング）モジュール２１０／２０５の両方が、左側コマンド処理チャネルのための自動ブレーキ作動データを与える。
【００３６】
左側機外電力制御チャネル２１６および左側機外自動ブレーキコマンド制御チャネル２１４は、左側機外ブレーキメカニズム２３０、特に左側機外ブレーキアクチュエータ、の動作に影響を与えるよう協働する。この点において、左側機外電力制御チャネル２１６および左側機外自動ブレーキコマンド制御チャネル２１４は、電気自動ブレーキシステムの左側機外アーキテクチャについての制御構成を示す。この例の場合、左側機外電力制御チャネル２１６は、たとえば１３０ボルトの電源（図２に示さず）を用いて、左側機外ブレーキメカニズム２３０のために電気ブレーキアクチュエータ動作電力を与えるよう好適に構成される。左側機外電力制御チャネル２１６は、左側機外ブレーキメカニズム２３０を切換えるよう機能する。１つの実施例において、左側機外電力制御チャネル２１６は、図４の文脈において以下にさらに詳細に説明されるように、左側機外ブレーキメカニズム２３０、より具体的には左側機外ブレーキアクチュエータ２３１、に結合されるＥＢＡＣのために動作電力を調整するよう好適に構成される。
【００３７】
左側機外自動ブレーキコマンド制御チャネル２１４は、左側機外電力制御チャネル２１６と並列である。したがって、左側機外自動ブレーキコマンド制御チャネル２１４は、左側機外電力制御チャネル２１６と同時にかつ独立して動作する。左側機外自動ブレーキコマンド制御チャネル２１４は、左側機外ブレーキメカニズム２３０のためのブレーキメカニズム制御信号を処理するよう好適に構成される。１つの実施例では、左側機外自動ブレーキコマンド制御チャネル２１４は、左側機外ブレーキメカニズム２３０、より具体的には左側機外ブレーキアクチュエータ２３１に結合されるＥＢＡＣによる実行のためのブレーキ制御信号を生成するよう構成される。なお、ブレーキ制御信号は、左側機外ブレーキ
アクチュエータ２３１に適切な動作電力が与えられたときにのみ有効である。したがって、左側機外ブレーキアクチュエータ２３１は、ブレーキ制御信号が何らかのクランピング力の適用を命令するとともに左側機外電力制御チャネル２１６が動作電力を有効にする場合に、作動されることになる。対照的に、左側機外ブレーキアクチュエータ２３１は、左側機外自動ブレーキコマンド制御チャネル２１４が動作電力を無効にするまたはブレーキ制御信号がクランピング力を命令しない場合には、解放（非作動）状態のままとなる。
【００３８】
好ましい実施例では、電気ブレーキシステムの処理チャネルは、互いに実質的に（完全ではなくとも）独立である。たとえば、左側機外電力制御チャネル２１６は、左側機外自動ブレーキコマンド制御チャネル２１４から独立して、左側機外ブレーキメカニズム２３０、より具体的には左側機外ブレーキアクチュエータ２３１の作動を防止するよう好適に構成される。同様に、左側機外自動ブレーキコマンド制御チャネル２１４は、左側機外電力制御チャネル２１６から独立して、左側機外ブレーキアクチュエータ２３１の作動を防止するよう好適に構成される。これらの処理チャネルは、独立したパスを通じて、および／または別個のデータインターフェイスから異なる作動データタイプを受取る。自動ブレーキコマンド処理チャネル２１４／２１８／２２２／２２６は、ＴＲＡセンサデータモジュール２１０／２０５（図２においては、機外自動ブレーキコマンド制御チャネル２１４についてのみ示す）からＴＲＡデジタルデータを受取り、電力制御チャネル２１６／２２０／２２４／２２８は各々ＴＲＡセンサ離散データモジュール２０２／２０６から離散データを受取る。さらに、左側機外ブレーキメカニズム２３０、特に左側機外ブレーキアクチュエータ２３１のための制御構成と、左側機内ブレーキメカニズム２３２、特に左側機内ブレーキアクチュエータ２３３のための制御構成と、右側機内ブレーキメカニズム２３４、特に右側機内ブレーキアクチュエータ２３５のための制御構成と、右側機外ブレーキメカニズム２３６、特に右側機外ブレーキアクチュエータ２３７のための制御構成とは、互いに実質的に（完全ではなくても）独立している。たとえば、４つの制御構成が互いに同時かつ互いに独立して動作してもよく、または左側自動ブレーキ制御アーキテクチャが右側の自動ブレーキ制御アーキテクチャと同時にかつ独立して動作してもよい。図２に示される残りの３つの制御構成は、左側機外処理チャネルについて上述したように動作する。
【００３９】
図３は、この発明の実施例に従って構成される航空機電気ブレーキシステムのある部分の概略図である。詳細には、図３は左側電気ブレーキサブシステムアーキテクチャ３００のコンポーネントを示す（上述したように、右側電気ブレーキサブシステムアーキテクチャは同様の構造を有する）。電気ブレーキシステムは、図１および図２の文脈において上述したように構成されてもよい。したがって、左側電気ブレーキサブシステムアーキテクチャ３００のある機構、コンポーネント、および機能は、冗長となるのでここでは記載しない。
【００４０】
左側電気ブレーキサブシステムアーキテクチャ３００は、ＢＳＣＵ３０８と、機外電気ブレーキ電力供給ユニット（outboard electric brake power supply unit；ＥＢＰＳＵ）３１４と、機内ＥＢＰＳＵ３２８と、機外ＥＢＡＣ３１６と、機内ＥＢＡＣ３３０と、少なくとも１つの左側機外ブレーキアクチュエータ３２２を含む１つ以上の機外ブレーキメカニズム３２１と、少なくとも１つの左側機内ブレーキアクチュエータ３３６を含む１つ以上の機内ブレーキメカニズム３３７とを含んでもよい。サブシステムアーキテクチャ３００は、左側ＴＲＡセンサデジタルデータモジュール３０６、右側ＴＲＡセンサデジタルデータモジュール３０７、右側ＴＲＡセンサ離散データモジュール３０２、左側ＴＲＡセンサ離散データモジュール３０４から、または図３に示されない他の自動ブレーキ作動センサデータモジュールから自動ブレーキ作動データを受取るまたは処理するよう好適に構成される。
【００４１】
ＢＳＣＵ３０８は、ＢＳＣＵ１１０について上述したように概して構成される。ＢＳＣＵ３０８は、機外自動ブレーキインターロック決定モジュール３１２と、機外自動ブレーキコマンド制御モジュール３１０と、機内自動ブレーキコマンド制御モジュール３２４と、機内自動ブレーキインターロック決定モジュール３２６とを含んでもよい。この例では、左側および右側ＴＲＡセンサ離散データモジュール３０２／３０４の両方は、各機外および機内自動ブレーキインターロック決定モジュール３１２／３２６に対してＴＲＡ自動ブレーキ作動離散データを利用可能にする。左側および右側ＴＲＡセンサデジタルデータモジュール３０６／３０７は、各機外および機内自動ブレーキコマンド制御モジュール３１０／３２４に対してデジタルデータを利用可能にする。
【００４２】
各自動ブレーキインターロック決定モジュール３１２／３２６は、自動ブレーキ作動データを処理し、自動ブレーキ作動データに応答して、ブレーキメカニズムの電源（たとえばＥＢＰＳＵ）についてのそれぞれの有効／無効制御信号を生成する。ここで、機外インターロック決定モジュール３１２は、機外ＥＢＰＳＵ３１４についての１つの有効／無効制御信号を生成し、その一方、機内自動ブレーキインターロック決定モジュール３２６は機内ＥＢＰＳＵ３２８についての別の有効／無効制御信号を生成する。たとえば、自動ブレーキ作動データが自動ブレーキ適用条件を示す場合、各々の自動ブレーキインターロック決定モジュール３１２／３２６は、そのそれぞれのブレーキメカニズムへの動作電力を独立して有効にする。ここで用いられるように、「自動ブレーキ適用条件」とは、自動ブレーキの適用へと繋がることを意図する航空機の任意の動作ステータス、状態、または構成を意味する。たとえば、自動ブレーキ適用条件は以下のことに起因し得る。すなわち、すべてのスロットルレバーをアイドル位置に配置すること、または航空機の加速度を閾値の加速度を下回るよう減少させること、つまり自動ブレーキモードの活性化、などである。他方では、自動ブレーキ作動データが自動ブレーキ適用条件を示さない場合、各々の自動ブレーキインターロック決定モジュール３１２／３２６は、そのそれぞれのブレーキメカニズムについて動作電力を独立して無効にする。この機構により、誤った自動ブレーキコマンドが左側電気ブレーキサブシステムアーキテクチャ３００を通って伝播する場合にこの機構がなければ起こり得る自動ブレーキの不用意な適用を防止する。
【００４３】
各々の自動ブレーキインターロック決定モジュール３１２／３２６は、以下の図４の文脈において説明されるように、自動ブレーキ作動データを処理してそれぞれの有効／無効制御信号を生成するデジタル論理ゲートと関連する回路網とを用いてハードウェアで実現されてもよい。この点において、有効／無効制御信号は論理ハイおよびロー状態を有するバイナリの制御信号であってもよい。ＥＢＰＳＵ３１４／３２８は、適切な態様で有効／無効制御信号のそれぞれに応答する。
【００４４】
この実施例では、左側機外自動ブレーキコマンド制御部３１０が、自動ブレーキ作動データに応答してそれぞれのブレーキ作動コマンド信号を生成するよう好適に構成されるが、自動ブレーキコマンド制御部３２４も、当該自動ブレーキ作動に応答してそれぞれのブレーキ作動コマンド信号を生成するよう好適に構成されてもよい。ここで、機外自動ブレーキコマンド制御部３１０モジュールは、機外ＥＢＡＣ３１６についてブレーキ作動コマンド信号を生成し、立ち代わって、機外ＥＢＡＣ３１６は、機外ブレーキメカニズム３２１、より具体的には左側機外ブレーキアクチュエータ３２２を制御する。その一方、機内自動ブレーキコマンド制御部３２４は、機内ＥＢＡＣ３３０についての独立したブレーキ作動コマンド信号を生成し、立ち代わって、機内ＥＢＡＣ３３０は機内ブレーキメカニズム３３７、より具体的には機内ブレーキアクチュエータ３３６を制御する。実際の場合、ブレーキメカニズム制御信号は、ブレーキメカニズムにおいて電気ブレーキアクチュエータの作動に影響を与える（すなわち、電気ブレーキアクチュエータによって与えられる完全なクランピング力のパーセンテージ）。たとえば、ブレーキ作動コマンド信号は、クランピング力を解放または適用しないよう電気ブレーキアクチュエータにコマンドを与えて
もよく、完全なクランピング力を適用するよう電気ブレーキアクチュエータにコマンドを与えてもよく、または何らかの中間のクランピング力を適用するよう電気ブレーキアクチュエータにコマンドを与えてもよい。
【００４５】
機外自動ブレーキインターロック決定モジュール３１２および機外自動ブレーキコマンド制御部３１０は、自動ブレーキ作動データに対して同時に（しかし独立して）動作を行なう。同様に、機内自動ブレーキインターロック決定モジュール３２６および機内自動ブレーキコマンド制御部３２４は、自動ブレーキ作動データに対して同時に（しかし独立して）動作する。この態様での処理アーキテクチャの分離により、電気自動ブレーキインターロックシステムの信頼性および堅牢性が向上する。
【００４６】
この実施例では、ＢＳＣＵ３０８は、必要に応じて、ＥＢＰＳＵ３１４／３２８を制御し、ブレーキアクチュエータ３２２／３３６を有効／無効にする。各々のＥＢＰＳＵ３１４／３２８は、動作電圧をそのそれぞれのＥＢＡＣ３１６／３３０に与えるよう構成される。図２に関連して上述したように、この実施例の場合、公称ＥＢＡＣ動作電圧は約１３０ボルトである。したがって、ＥＢＰＳＵは、この１３０ボルトの供給電圧をＥＢＡＣに与える／そこから取除くことによりブレーキアクチュエータを有効／無効にし得る。
【００４７】
機外ＥＢＰＳＵ３１４は、アクチュエータ電力パス３２０およびアクチュエータコマンドパス３１８を用いてもよい。アクチュエータ電力パス３２０は、機外ＥＢＰＳＵから左側機外ブレーキメカニズム３２２へ動作電力を与えるよう構成される構造、チャネル、またはアーキテクチャを示す。アクチュエータコマンドパス３１８は、自動ブレーキ制御信号を処理するとともに当該自動ブレーキ制御信号をＢＳＣＵ３０８から機外ブレーキメカニズム３２１に転送するよう構成される構造、チャネル、またはアーキテクチャを示す。機内ＥＢＡＣ３３０はさらに、同様に構成されるアクチュエータコマンドおよびアクチュエータ電力パスを含む。この例において、これらの４つのパスは別個であり、互いに独立している。
【００４８】
図４は、この発明の実施例に従って構成される航空機電気ブレーキサブシステムアーキテクチャ４００の部分（左側機外）のための電気自動ブレーキインターロックシステムの概略図である。この例示的な実施の場合、サブシステムアーキテクチャ４００は一般的に、自動ブレーキアクチュエータデータ生成システム４３８と、電力制御処理チャネル４６６と、自動ブレーキコマンド処理チャネル４７２と、ＢＳＣＵ４４６と、ＥＢＡＣ４６４と、ブレーキアクチュエータ４７４とを含む。サブシステムアーキテクチャ４００はさらに、図１−図３の文脈において上述したように構成されてもよい。したがって、サブシステムアーキテクチャ４００のある機構、コンポーネント、および機能は、冗長となるのでここでは記載しない。
【００４９】
自動ブレーキアクチュエータデータ生成システム４３８は一般的に、右側スロットルレバー４０２と、左側スロットルレバー４１６と、推進処理ユニット４０５と、右側ＴＲＡデータスイッチ４３６を含む右側ネットワークインターフェイス（ＲＮＩ）４３２と、左側ＴＲＡデータスイッチ４４２を含む左側ネットワークインターフェイス（ＬＮＩ）４３３とを含む。サブシステムアーキテクチャ４００は、ＲＮＩ４３２を介して右側ＴＲＡセンサインターフェイス４０６／４０８からの自動ブレーキ作動データを受け取りまたは処理し、ＬＮＩ４３３を介して左側ＴＲＡセンサインターフェイス４２０／４２２からの自動ブレーキ作動データを受け取りまたは処理し、さらにネットワークインターフェイス４３９からのブレーキ作動コマンド入力を受け取りまたは処理するよう好適に構成される。
【００５０】
スロットルレバー４０２／４１６は、図１の文脈で上述したように、入力を電気ブレーキサブシステム４００に与えるために、入力を推進処理ユニット４０５に与えるよう構成
される。
【００５１】
推進処理ユニット４０５は、電気飛行機ネットワークバス４３０を介してＲＮＩ／ＬＮＩ４３２／４３３にＴＲＡ入力を与えるよう構成される。ＴＲＡセンサ４０５／４０７および４１９／４２１の値がアイドル（ＴＲＡ値がしきい値を下回る）際は、自動ブレーキを有効にするブレーキへの電力がいつでも望まれる。そうでなければ、電力は、自動ブレーキをインターロック／無効化する態様でブレーキに与えられない。
【００５２】
ＲＮＩ／ＬＮＩ４３２／４３３は、ＢＳＣＵ４４６に左側ＴＲＡセンサ値および右側ＴＲＡセンサ値を与える。不用意なブレーキ（すなわちデータエラー）から保護するよう、各々のＲＮＩ／ＬＮＩ４３２／４３３は、推進ユニット４０５から２つのデジタルＴＲＡ位置を受取る。たとえば、右側ＲＮＩ４３２は冗長な右側ＴＲＡデジタル値を受取る。右側ＲＮＩ４３２は、右側ＴＲＡデジタル値の冗長コピーから入手可能な第１の有効な値をゲートウェイ接続し、ＬＮＩ４３３は、左側ＴＲＡデジタル値の冗長コピーから入手可能な第１の有効値をゲートウェイ接続する。各々のＲＮＩ／ＬＮＩ４３２／４３３は次いで、自身のそれぞれのスロットルが「アイドル」または「進行」かどうかを示すデジタル離散信号に基づき、デジタル−アナログ変換（図４に示さず）を行ない、これにより電力制御処理チャネル４６６、特にＢＳＣＵ４４６の動作に好適なアナログ離散出力信号（ハイ／ロー）を得る。ＬＮＩ／ＲＮＩは、左側および右側ＴＲＡの信号のハイ／ロー値をＢＳＣＵ４４６、特に、自動ブレーキインターロック決定モジュール４４８に与える。
【００５３】
ＴＲＡ信号のハイ値は、ＴＲＡデータスイッチ４３６／４４２を介して電力制御処理チャネル４６６へと与えられる。なお、ＴＲＡデータスイッチ４３６／４４２は、ＴＲＡセンサ値がアイドルでないことを示す図４の例示的な実施例における開位置にあるのが示されている。ＴＲＡセンサ値がアイドルであることを示す際は、ＴＲＡデータスイッチ４３６／４４２は閉じる。この点において、ＴＲＡセンサ値がアイドルである／アイドルでないかに基づき、電力処理チャネルは以下に説明されるようにブレーキへの電力供給を制御する。
【００５４】
電力制御処理チャネル４６６は、自動ブレーキインターロック決定モジュール４４８およびＥＢＰＳＵ４６２を一般的に含んでもよい。電力制御処理チャネル４６６は、たとえばＢＳＣＵ４４６およびＥＢＡＣ４６４といった電気ブレーキサブシステムアーキテクチャ４００のコンポーネントにおいて実現されてもよい。
【００５５】
自動ブレーキインターロック決定モジュール４４８は、自動ブレーキ作動データを処理してそれぞれの有効／無効制御信号を生成するデジタル論理ゲートと関連する回路網とを用いてハードウェアで実現されてもよい。自動ブレーキインターロック決定モジュール４４８は、ＴＲＡセンサ値に基づき、有効／無効電力制御信号をＥＢＰＳＵ４６２に与える。この例示的な実施例において、自動ブレーキインターロック決定モジュール４４８は、ＯＲゲート４５２、自動ブレーキ有効／無効モジュール４６０、および有効／無効電力制御信号４５８を含む。ＥＢＰＳＵ４６２は、ここに記載されるような態様でそれぞれの有効／無効電力制御信号４５８に応答する。自動ブレーキインターロック決定モジュール４４８は、上述したようにＲＮＩ／ＬＮＩ４３２／４３３から２つの入力信号４５４／４５６（論理ハイまたは論理ロー）を受取る。入力信号４５４は、左側スラストレバー４１６が「進行」または「アイドル」であるかどうかを伝え、入力信号４５６は、右側スラストレバー４０２が「進行」または「アイドル」であるかどうかを伝える。入力信号４５４／４５６の少なくとも１つは、ＢＳＣＵ４４６、特に自動ブレーキ有効／無効モジュール４６０が電力有効信号４５８をＥＢＰＳＵ４６２に出力してＥＢＡＣ４６４を活性化するよう「アイドル」を示さなければならない（この点において、自動ブレーキ機能の利用可能性が１つのエンジンにおいて確保される）。別の態様では、自動ブレーキ有効／無効モジ
ュール４６０は、作動電力がＥＢＡＣに到達するのを防止するとともに特にブレーキアクチュエータ４７４を無効にするよう、電力無効信号４５８をＥＢＰＳＵ４６２に出力する。この点において、電力制御処理チャネル４６６は、自動ブレーキコマンド処理チャネル４７２から独立して、不用意な自動ブレーキの適用に繋がり得るいかなる単一の障害からでも保護するよう必要なアーキテクチャを与える。
【００５６】
自動ブレーキコマンド処理チャネル４７２は一般的に、自動ブレーキコマンド制御モジュール４６８を含んでもよい。自動ブレーキコマンド処理チャネル４７２は、たとえば、ＢＳＣＵ４４６およびＥＢＡＣ４６４といった電気ブレーキサブシステムアーキテクチャ４００のコンポーネントにおいて実現されてもよい。
【００５７】
自動ブレーキコマンド制御モジュール４６８は、自動ブレーキインターロック決定モジュール４４８から独立して（しかし同時に）、デジタルネットワークインターフェイス４３９から自動ブレーキ作動データを受取り、ブレーキシステムに障害がないかおよびスラストレバーがアイドル位置にあるかといった自動ブレーキ適用条件が満足されるかどうかを判断し、受取った自動ブレーキ作動データに応答してブレーキ制御信号を生成する。自動ブレーキ作動データが、自動ブレーキ適用条件が満足されていないことを示している場合、自動ブレーキコマンド制御モジュール４６８は約０％のクランピング力のコマンド（すなわち、ブレーキ適用なし）を生成する。したがって、自動ブレーキが自動ブレーキコマンド制御モジュール４６８によって不用意に命令され、かつ自動ブレーキインターロック決定モジュール４４８が電力無効信号を出力する場合、自動ブレーキコマンド制御モジュール４６８はブレーキを活性化しない。
【００５８】
端的に言えば、電気ブレーキサブシステムアーキテクチャ４００は、飛行機ネットワーク４３０にて利用可能となった右側ＴＲＡデータおよび左側ＴＲＡデータを用いて、上述した態様で自動ブレーキインターロック有効／無効制御信号を作り出す。この点において、電力制御処理チャネル４６６および自動ブレーキコマンド処理チャネル４７２は、同時に（しかし独立して）動作し、自動ブレーキ作動データに応答して、以下に説明される処理を用いて自動ブレーキの適用を有効／無効にする。
【００５９】
図５は、航空機電気ブレーキシステムに関連した利用に好適な電気自動ブレーキインターロック処理５００を示すフローチャートである。処理５００に関連して行なわれるさまざまなタスクは、ソフトウェア、ハードウェア、ファームウェア、またはそれらの任意の組合せによって行なわれてもよい。例示的な目的のため、処理５００の以下の説明は、図１−図４に関連して上述した要素を参照し得る。この発明の実施例において、処理５００の部分は、記載したシステムの異なる要素、たとえばＢＳＣＵ、ＥＢＡＣ、またはＥＢＰＳＵなどによって行なわれてもよい。処理５００は任意の数の付加的または代替的なタスクを含んでもよく、図５に示されるタスクは記載された順序で実行される必要はなく、かつ処理５００はここで詳細には記載されない付加的な機能を有するさらに包括的な手順または処理に統合されてもよい。
【００６０】
電気自動ブレーキインターロック処理５００に関連して、電気自動ブレーキシステムは、連続的なまたは高速サンプリングの態様で自動ブレーキ作動データ（タスク５０２）を受取るとともに処理する。図５は、処理５００の間に同時に起こる２つの処理分岐を示す。電力インターロック処理分岐５０４が図５の左側に示され、自動ブレーキコマンド処理分岐５０６が図５の右側に示される。電力インターロック処理分岐５０４は自動ブレーキ作動データ、特にＴＲＡセンサ離散データを分析し、当該データが自動ブレーキ適用条件を示しているかどうかを判断する（クエリタスク５０８）。示している場合、処理５００は、「電力供給有効」制御信号を生成し（タスク５１０）、電力供給有効制御信号は、ブレーキメカニズム、特に電気ブレーキアクチュエータのための電力供給を有効にする（タ
スク５１２）。言い換えると、ブレーキメカニズムはブレーキ制御信号に応答することができることになる。この例において、処理５００はＥＢＰＳＵを制御し、動作電力がＥＢＰＳＵに結合されるＥＢＡＣに与えられるようにその動作電力供給をオンに切換える。立ち代わって、ＥＢＡＣは、動作電力をブレーキメカニズム、特に電気ブレーキアクチュエータに与える。
【００６１】
クエリタスク５０８が自動ブレーキ適用条件を示していない場合、電気自動ブレーキインターロック処理５００は、ブレーキアクチュエータを無効化するよう、ブレーキメカニズムのための動作電力を調整する。この点において、処理５００は、ブレーキメカニズムのための電力供給を無効化する「電力供給無効」制御信号を生成する（タスク５１４）（その結果、処理５００はブレーキアクチュエータから動作電力を取除く−タスク５１６）。言い換えると、自動ブレーキ適用条件が満たされない限り、ブレーキアクチュエータはいかなるブレーキ制御信号にも応答することができない。なぜならば、ブレーキアクチュエータには十分な動作電力が欠如しているからである。この例において、処理５００はＥＢＰＳＵを制御し、ＥＢＰＳＵに結合されるＥＢＡＣから動作電力を取除くようその動作電力供給をオフに切換える。立ち代わって、ＥＢＡＣはもうブレーキメカニズムに動作電力を提供しない。
【００６２】
電力インターロック処理分岐５０４と同時に（かつ独立して）、自動ブレーキコマンド処理分岐５０６は、自動ブレーキ作動データ、特にＴＲＡデジタルデータを処理する（タスク５１８）。自動ブレーキ作動データが自動ブレーキ適用条件を示す場合（クエリタスク５２０）、処理５００は、ブレーキメカニズムの作動を制御するのを試みて、自動ブレーキ作動データに応答してブレーキ作動制御コマンドを生成する（タスク５２２）。言い換えると、ブレーキ作動制御コマンドは、ブレーキアクチュエータに命令して、指定された量だけ作動し、これにより何らかのブレーキクランピング力が与えられる。言い換えると、ブレーキ作動制御コマンドは、ブレーキメカニズム、特にブレーキアクチュエータを制御し、クランピング力を解放またはクランピング力の適用をしないようにする。自動ブレーキ作動データが自動ブレーキ適用条件を示していない場合（クエリタスク５２０）、ブレーキ作動制御コマンドは、ブレーキアクチュエータの作動を防止するよう生成されない（タスク５２４）。上述したように、これらのブレーキ作動コマンドは、電力インターロック処理分岐５０４がブレーキメカニズムから動作電力を取除く場合は非有効となる。言い換えると、処理５００は、次の２つの動作が起こる場合、ブレーキメカニズム、特に電気ブレーキアクチュエータについての作動制御を実行する（参照番号２５６）。すなわち、動作電力が電気ブレーキアクチュエータを有効化するよう与えられる場合と、ブレーキ作動制御が、自動ブレーキ適用条件を示す自動ブレーキ作動データに応答して命令される場合とである。
【００６３】
まとめると、ここで記載されたような電気自動ブレーキインターロックシステムは、ブレーキメカニズム、特にブレーキアクチュエータの動作電力のためのオン／オフ制御を提供するハードウェアベースの自動ブレーキインターロックパスと、ブレーキメカニズムのためのブレーキ作動制御コマンドを生成するソフトウェアベースの処理パスとを有する自動ブレーキ制御アーキテクチャを用いる。この方策により、命令していないのに自動ブレーキが適用される確率は、ハードウェアインターロック障害およびソフトウェア制御障害の両方の確率であり、実際の実施において非常に低い。共通のコンポーネントは、自動ブレーキアクチュエータモータとモータ制御部（自身でコマンドを出すことはあまりない）とデジタルＴＲＡデータの源とだけである。
【００６４】
少なくとも１つの例示的な実施例が上記の詳細な説明において提示されたが、膨大な数の変形例が存在することは理解されるべきである。ここで記載された例示的な実施例は、いかなる点においても、この発明の範囲、適用可能性、または構成を限定することを意図
していないということをも理解されるべきである。むしろ、上記の詳細な説明は、記載した実施例を実施するための簡便な道筋を当業者に与えるものである。この発明の範囲から逸脱することがなければ、要素の機能および構成においてさまざまな変更がなされ得、この発明の範囲は、この特許出願が出願される際に公知の均等物および予見可能な均等物を含む特許請求の範囲によって規定される。
【手続補正２】
【補正対象書類名】特許請求の範囲
【補正対象項目名】全文
【補正方法】変更
【補正の内容】
【特許請求の範囲】
【請求項１】
航空機の電気ブレーキシステムのための自動ブレーキインターロックのための制御構成であって、
前記電気ブレーキシステムのブレーキメカニズムのための動作電力を有効／無効にするよう構成される自動ブレーキアクチュエータ電力制御アーキテクチャと、
前記自動ブレーキアクチュエータ電力制御アーキテクチャと並列である自動ブレーキアクチュエータコマンドアーキテクチャとを含み、前記自動ブレーキアクチュエータコマンドアーキテクチャは前記ブレーキメカニズムのためのブレーキメカニズムコマンドを処理するよう構成されており、
前記自動ブレーキアクチュエータ電力制御アーキテクチャは、前記自動ブレーキアクチュエータコマンドアーキテクチャから独立して、前記ブレーキメカニズムの作動を防止することが可能であり、
前記自動ブレーキアクチュエータコマンドアーキテクチャは、前記自動ブレーキアクチュエータ電力制御アーキテクチャから独立して、前記ブレーキメカニズムの作動を防止することが可能である、制御構成。
【請求項２】
前記自動ブレーキアクチュエータ電力制御アーキテクチャは、自動ブレーキ作動データを処理するとともに、前記自動ブレーキ作動データに応答して、前記ブレーキメカニズムの電力供給についての有効／無効制御信号を生成するよう構成されるインターロック決定モジュールを含む、請求項１に記載の制御構成。
【請求項３】
前記自動ブレーキ作動データは、
左側スロットルレゾルバ角度（ＴＲＡ）センサデータと、
右側ＴＲＡセンサデータとを含む、請求項２に記載の制御構成。
【請求項４】
前記インターロック決定モジュールは、前記自動ブレーキ作動データが自動ブレーキ適用条件を示す際、前記ブレーキメカニズムのための動作電力を有効にするよう構成される、請求項２に記載の制御構成。
【請求項５】
前記電気ブレーキシステムは前記ブレーキメカニズムに結合される電気ブレーキアクチュエータ制御部を含み、
前記自動ブレーキアクチュエータ電力制御アーキテクチャは、前記電気ブレーキアクチュエータ制御部のための動作電力を調節するよう構成される、請求項１に記載の制御構成。
【請求項６】
前記自動ブレーキアクチュエータコマンドアーキテクチャは、自動ブレーキ作動データに応答して前記ブレーキメカニズムコマンドを生成するよう構成される自動ブレーキコマンド制御部を含む、請求項１に記載の制御構成。
【請求項７】
前記自動ブレーキ作動データは、
左側スロットルレゾルバ角度（ＴＲＡ）センサデータと、
右側ＴＲＡセンサデータとを含む、請求項６に記載の制御アーキテクチャ。
【請求項８】
前記電気ブレーキシステムは、前記ブレーキメカニズムに結合される電気ブレーキアクチュエータ制御部を含み、
前記自動ブレーキコマンド制御部は、前記電気ブレーキアクチュエータ制御部による実行のために前記ブレーキメカニズムコマンドを生成するよう構成される、請求項６に記載の制御アーキテクチャ。
【請求項９】
航空機の電気ブレーキシステムのための自動ブレーキインターロックを提供するための方法であって、前記電気ブレーキシステムはブレーキメカニズムを有し、前記方法は、
（ａ）  自動ブレーキ作動データを受取ることと、
（ｂ）  前記自動ブレーキ作動データを処理することとを含み、前記自動ブレーキ作動データは離散ＴＲＡデータを含み、前記方法はさらに、
（ｃ）  前記離散ＴＲＡデータが自動ブレーキ適用条件を示さない場合、前記ブレーキメカニズムのための動作電力を調節し、前記ブレーキメカニズムを一時的に無効にすることを含み、前記方法はさらに、
（ｂ）および（ｃ）と同時にかつ独立して、
（ｅ）  前記自動ブレーキ作動データを処理することを含み、前記自動ブレーキ作動データはＴＲＡデジタルデータを含み、前記方法はさらに、
（ｆ）  前記ＴＲＡデジタルデータが前記自動ブレーキ適用条件を示さない場合、自動ブレーキ作動制御コマンドの生成を防止することと、
（ｇ）  前記ブレーキメカニズムの作動を防止することとを含む、方法。
【請求項１０】
前記電気ブレーキシステムは、前記ブレーキメカニズムに結合される電気ブレーキアクチュエータを含み、
前記ブレーキメカニズムのための動作電力を調節することは、前記電気ブレーキアクチュエータから動作電力を取除くことを含む、請求項９に記載の方法。
【請求項１１】
（ｈ）  前記動作電力が前記電気ブレーキアクチュエータを有効にするよう与えられ、
（ｉ）  前記ブレーキ作動制御コマンドが生成され、かつ
（ｊ）  前記ブレーキ作動制御コマンドが前記電気ブレーキアクチュエータによって受取られるならば、
前記自動ブレーキ作動条件を検出することに応答して前記電気ブレーキアクチュエータを制御することをさらに含む、請求項１０に記載の方法。
【請求項１２】
前記離散ＴＲＡデータは、前記動作電力を調節するための有効／無効制御信号を生成する、請求項１０に記載の方法。
【請求項１３】
航空機のための電気自動ブレーキインターロックシステムであって、
前記航空機の第１の車輪のための第１のブレーキメカニズムと、
前記第１のブレーキメカニズムに結合される第１の自動ブレーキ制御アーキテクチャとを含み、前記第１の自動ブレーキ制御アーキテクチャは、
自動ブレーキ作動データに応答して、前記第１のブレーキメカニズムのためのブレーキメカニズムコマンド信号を生成するよう構成される第１の自動ブレーキコマンド制御部と、
前記第１の自動ブレーキコマンド制御部の動作と同時にかつ前記第１の自動ブレーキコマンド制御部から独立して、前記自動ブレーキ作動データに応答して前記第１のブレーキメカニズムのための動作電力を調節するよう構成される第１の自動ブレーキインターロッ
クメカニズムを含む、電気自動ブレーキインターロックシステム。
【請求項１４】
前記航空機の第２の車輪のための第２のブレーキメカニズムと、
前記第２のブレーキメカニズムに結合される第２の自動ブレーキ制御アーキテクチャとを含み、前記第２の自動ブレーキ制御アーキテクチャは、
前記自動ブレーキ作動データに応答して、前記第２のブレーキメカニズムのためのブレーキメカニズムコマンド信号を生成するよう構成される第２の自動ブレーキコマンド制御部と、
前記第２の自動ブレーキコマンド制御部の動作と同時にかつ前記第２の自動ブレーキコマンド制御部から独立して、前記自動ブレーキ作動データに応答して前記第２のブレーキメカニズムのための動作電力を調節するよう構成される第２の自動ブレーキインターロックメカニズムをさらに含む、請求項１３に記載のシステム。
【請求項１５】
前記第２の自動ブレーキ制御アーキテクチャは、前記第１の自動ブレーキ制御アーキテクチャと同時にかつ独立して動作する、請求項１４に記載のシステム。
【国際調査報告】
2010514608.tif 000008
2010514608.tif 000009
2010514608.tif 000010